(57)【要約】【課題】人が見やすい状態で複数月を表示でき、しかも、簡単に所望の月数を表示させることができるカレンダーおよび、かかるカレンダーを構成するカレンダーピースを提供する。【解決手段】複数枚のカレンダーシート２と、カレンダーシート２が連結されたフレーム１０と、を備えており、フレーム１０は、山折り谷折りされたシートを折り畳んだものであり、フレーム１０の谷折り部に折り曲げ可能にカレンダーシート２が連結されている。山折り部を伸ばしてカレンダーシート２を谷折り部で折り曲げれば、連続するカレンダーシート２を並べることができる。しかも、カレンダーシートを上下に並べた場合には、上から下に順番に月を並べることができる。また、山折り部とともに谷折り部も伸ばせば、複数の月を並べて配置することができるので、所望の月数を並べて配置することができる。したがって、必要な期間、必要な月を連続して並べておくことができる。【選択図】図１
2017213840.tif 000002
【特許請求の範囲】
【請求項１】
複数枚のカレンダーシートと、該カレンダーシートが連結されたフレームと、を備えており、
前記フレームは、
山折り谷折りされたシートを折り畳んだものであり、
該フレームの谷折り部または山折り部に折り曲げ可能に前記カレンダーシートが連結されている
ことを特徴とするカレンダー。
【請求項２】
前記フレームは、
前記谷折り部を挟む部分の側端縁同士が連結されている
ことを特徴とする請求項１記載のカレンダー。
【請求項３】
前記谷折り部を挟む部分の側端縁には、
該側端縁同士が連結されている連結部分と、該連結部分以外の部分との間に切断部が設けられている
ことを特徴とする請求項２記載のカレンダー。
【請求項４】
前記谷折り部を挟む部分の側端縁には、
前記切断部よりも内方に内方切断部が設けられている
ことを特徴とする請求項３記載のカレンダー。
【請求項５】
前記フレームは、
前記山折り部を挟む保持シートと連結シートとを有するフレームシートを複数備えており、
隣接するフレームシートにおける保持シートと連結シートが、前記谷折り部で連続しており、
該谷折り部を挟む連結シートと保持シートの側端縁同士が連結されている
ことを特徴とする請求項１、２、３または４記載のカレンダー。
【請求項６】
前記カレンダーシートの幅または高さが
前記フレームシートの山折り部を伸ばした状態における、前記山折り部を挟む谷折り部間の距離と同じ長さに形成されている
ことを特徴とする請求項５記載のカレンダー。
【請求項７】
前記カレンダーシートと前記フレームシートとからなるカレンダーピースを連結して形成されたものである
ことを特徴とする請求項５または６記載のカレンダー。
【請求項８】
折り曲げ可能に連結された保持シートと連結シートとを備えており、
前記保持シートにおいて、
前記連結シートと連結している部分と対向する保持端縁にカレンダーシートが連結されている
ことを特徴とするカレンダーピース。
【請求項９】
前記保持シートの保持端縁に、他のカレンダーピースにおける前記連結シートに連結する折り曲げ連結部が設けられている
ことを特徴とする請求項８記載のカレンダーピース。
【請求項１０】
前記保持シートの保持端縁において該保持端縁と交差する両側端縁に、他のカレンダーピースにおける前記連結シートと連結される側方連結部が設けられている
ことを特徴とする請求項８または９記載のカレンダーピース。
【請求項１１】
前記保持シートの側方連結部および前記連結シートにおいて前記保持シートの側方連結部と連結される連結側端部と、前記保持シートおよび前記連結シートにおける他の部分との境界に切断部が設けられている
ことを特徴とする請求項１０記載のカレンダーピース。
【請求項１２】
前記カレンダーシートの幅または高さが、
前記保持シートと前記連結シートを伸ばした状態における、前記保持シートにおける保持端縁から前記連結シートにおいて前記保持シートと連結している部分と対向する連結端縁までの距離と同じ長さに形成されている
ことを特徴とする請求項８、９、１０または１１記載のカレンダーピース。
【発明の詳細な説明】
【技術分野】
【０００１】
本発明は、カレンダーおよびカレンダーピースに関する。
【背景技術】
【０００２】
一般的に使用されるカレンダーとして、月めくり式カレンダーが使用されている。この月めくり式カレンダーは、一月分の暦が表示されたシートが複数枚束ねられて形成されている。この月めくり式カレンダーでは、通常、暦欄に余白が設けられており、メモ書きなどに使用できるようになっている。このため、暦欄の余白に予定を書き込んでおけば、月めくり式カレンダーをスケジュール管理や備忘録として使用することができる。
【０００３】
しかし、月めくり式カレンダーの場合、表示されるのが一月分なので、カレンダーを見ただけで把握できるスケジュールはせいぜい一か月分であり、複数月に跨るスケジュールを把握することはできない。例えば、表示月の最後の週と翌月の最初の週とをまたぐような連続したスケジュールは、同時に把握できない。
【０００４】
とくに、各月のシートが破って廃棄されるような場合には、表示月以前のスケジュールは把握できない。もし、表示月以前のスケジュールも確認したいのであれば、その月のシートは別途保管しておくか、カレンダーと並べて貼り付けておく等の方法を取らなければならない。
【０００５】
かかる問題を解消することができるカレンダーとして、複数月を同時に表示できるカレンダーも開発されている。例えば、１枚のシートに、下方から上方に月が進むように印刷されたカレンダーがある。このカレンダーでは、１枚目のシートでは、最下段に１月、中段に２月、上段に３月、というように表示し、２枚目のシートでは、最下段に４月、中段に５月、上段に６月、というように表示されている。かかるカレンダーでは、１月の部分を切り取れば４月分が表示され、１、２月の部分を切り取れば４、５月分が表示されるので、常に連続した３ヶ月分のスケジュールを同時に把握できる。
【０００６】
しかし、上記のようなカレンダーの場合、１枚のシートでは、下から上に月が進行するので、人の感覚上、スケジュールを把握しにくいという問題がある。
【０００７】
また、１月の部分を切り取って４月分が表示された場合、３月と４月は最上段と最下段に表示されることになる。つまり、３月と４月は分離された状態で表示されるので、３月から４月に跨るスケジュールは把握しづらいという問題がある。
【０００８】
しかも、重なっている後側のシートを表示させるには、前側シートを切り取らなければならず、切り取った月のスケジュールを把握するためには、結局、一カ月ごとに月めくりするカレンダーと同様に、切り取った月のシートを保管しておく必要がある。
【０００９】
そこで、各月が印刷されたシートを設けて、このシートをホルダーに取り付けることによって、複数月を同時に表示できるようにした技術が開示されている（特許文献１等）。
かかる技術であれば、ホルダーに取り付けるシートを調整すれば、複数月を上から順番にかつ連続する月同士を経過順に表示することができるので、上述したカレンダーに比べて、スケジュールを把握しやすくなる。
【先行技術文献】
【特許文献】
【００１０】
【特許文献１】特開２０１２−１９６９６３号公報
【発明の概要】
【発明が解決しようとする課題】
【００１１】
しかるに、特許文献１のカレンダーは、ホルダーに設けられたシート保持部にシートを取り付ける形式である。したがって、特許文献１のカレンダーでも、シート保持部の数以上の月を連続して表示することはできず、それ以上のスケジュールを把握するには、シートを保管しておくなどの手間がかかる。
【００１２】
また、特許文献１のカレンダーでは、複数月を上から順番に並べることはできるものの、その場合には、毎月、シートの取り付け取り外しをしなければならない。そして、複数月を上から順番に並べるためには、シート保持部に保持されている全てのシートを一旦取り外して、再度、シート保持部に取り付けなければならないので、非常に手間がかかるという問題がある。
【００１３】
本発明は上記事情に鑑み、人が見やすい状態で複数月を表示でき、しかも、簡単に所望の月数を表示させることができるカレンダーおよびかかるカレンダーを構成するカレンダーピースを提供することを目的とする。
【課題を解決するための手段】
【００１４】
第１発明のカレンダーは、複数枚のカレンダーシートと、該カレンダーシートが連結されたフレームと、を備えており、前記フレームは、山折り谷折りされたシートを折り畳んだものであり、該フレームの谷折り部または山折り部に折り曲げ可能に前記カレンダーシートが連結されていることを特徴とする。
第２発明のカレンダーは、第１発明において、前記フレームは、前記谷折り部を挟む部分の側端縁同士が連結されていることを特徴とする。
第３発明のカレンダーは、第２発明において、前記谷折り部を挟む部分の側端縁には、該側端縁同士が連結されている連結部分と、該連結部分以外の部分との間に切断部が設けられている。
第４発明のカレンダーは、第３発明において、前記谷折り部を挟む部分の側端縁には、
前記切断部よりも内方に内方切断部が設けられていることを特徴とする。
第５発明のカレンダーは、第１、第２、第３または第４発明において、前記フレームは、前記山折り部を挟む保持シートと連結シートとを有するフレームシートを複数備えており、隣接するフレームシートにおける保持シートと連結シートが、前記谷折り部で連続しており、該谷折り部を挟む連結シートと保持シートの側端縁同士が連結されていることを特徴とする。
第６発明のカレンダーは、第５発明において、前記カレンダーシートの幅または高さが、前記フレームシートの山折り部を伸ばした状態における、前記山折り部を挟む谷折り部間の距離と同じ長さに形成されていることを特徴とする。
第７発明のカレンダーは、第５または第６発明において、前記カレンダーシートと前記フレームシートとからなるカレンダーピースを連結して形成されたものであることを特徴とする。
（カレンダーピース）
第８発明のカレンダーピースは、折り曲げ可能に連結された保持シートと連結シートを備えており、前記保持シートにおいて、前記連結シートと連結している部分と対向する保持端縁にカレンダーシートが連結されていることを特徴とする。
第９発明のカレンダーピースは、第８発明において、前記保持シートの保持端縁に、他のカレンダーピースにおける前記連結シートにおいて前記保持シートと連結している部分と対向する連結端縁と連結する折り曲げ連結部が設けられていることを特徴とする。
第１０発明のカレンダーピースは、第８または第９発明において、前記保持シートの保持端縁において該保持端縁と交差する両側端縁に、他のカレンダーピースにおける前記連結シートと連結される側方連結部が設けられていることを特徴とする。
第１１発明のカレンダーピースは、第１０発明において、前記保持シートの側方連結部および前記連結シートにおいて前記保持シートの側方連結部と連結される連結側端部と、前記保持シートおよび前記連結シートにおける他の部分との境界に切断部が設けられていることを特徴とする。
第１２発明のカレンダーピースは、第８、第９、第１０または第１１発明において、前記カレンダーシートの幅または高さが、前記保持シートと前記連結シートを伸ばした状態における、前記保持シートにおける保持端縁から前記連結シートにおいて前記保持シートと連結している部分と対向する連結端縁までの距離と同じ長さに形成されていることを特徴とする。
【発明の効果】
【００１５】
第１発明によれば、谷折り部で折り曲げた状態で山折り部を伸ばせば、連続するカレンダーシートを並べることができる。しかも、カレンダーシートを上下に並べた場合には、上から下に順番に月を並べることができる。また、山折り部とともに谷折り部も伸ばせば、複数の月を並べて配置することができるので、所望の月数を並べて配置することができる。したがって、必要な期間、必要な月を連続して並べておくことができる。さらに、山折り部および谷折り部を伸ばす位置を調整すれば、表示する月を調整できるし、カレンダーをコンパクトにもできる。すると、既に終わった月を切り取らなくてもよいので、過去のスケジュールも保管しておくことができる。すると、現在だけでなく、過去および将来のスケジュールをいつでも確認することができる。
第２発明によれば、側端縁を連結しておけば、カレンダーの取り扱い性が良くなる。しかも、両側端縁の連結を解除すれば谷折り部を伸ばすことができるので、複数の月を並べて配置することができるという機能は維持できる。
第３発明によれば、切断部によって簡単に両側端縁の連結を解除できるので、谷折り部を伸ばす作業が簡単になる。
第４発明によれば、内方切断部を設けておけば、一旦分離した側端縁を再連結しても、両側端縁の連結を簡単に解除できる。したがって、カレンダーの形状などを自由に調整できる。
第５発明によれば、側端縁を連結しておけば、カレンダーの取り扱い性が良くなる。しかも、両側端縁の連結を解除すれば谷折り部を伸ばすことができるので、複数の月を並べて配置することができるという機能は維持できる。
第６発明によれば、カレンダーシート同士が重なることがないので、カレンダーシートを有効に利用することができる。
第７発明によれば、使用するカレンダーピースを調整すれば、目的等に適したカレンダーを形成することができる。
（カレンダーピース）
第８発明によれば、一のカレンダーピースの連結シートにおける保持シートと連結している部分と対向する連結端縁と、他のカレンダーピースの保持シートにおける保持端縁とを折り曲げ可能に連結すれば、所望の月数のカレンダーシートを並べて配置できるカレンダーを形成することができる。しかも、形成されたカレンダーは、保持シートと連結シートを開閉したりする位置や、隣接するカレンダーピース間を伸ばしたり縮めたりする位置を調整すれば、表示する月を調整できるし、カレンダーをコンパクトにもできる。すると、既に終わった月を切り取らなくてもよいので、過去のスケジュールも保管しておくことができる。すると、現在だけでなく、過去および将来のスケジュールをいつでも確認することができる。
第９発明によれば、一のカレンダーピースの連結シートと他のカレンダーピースにおける保持シートを折り曲げ連結部で連結すれば、所望の月数のカレンダーシートを並べて配置できるカレンダーを形成することができる。
第１０発明によれば、保持シートの側方連結部と連結シートの側方端縁を連結しておけば、カレンダーの取り扱い性が良くなる。しかも、保持シートおよび連結シートの両側端縁の連結を解除すれば谷折り部を伸ばすことができるので、複数の月を並べて配置することができるという機能は維持できる。
第１１発明によれば、切断部によって簡単に両側端縁の連結を解除できるので、一のカレンダーピースと他のカレンダーピースの間を簡単に伸ばすことができる。
第１２発明によれば、カレンダーシート同士が重なることがないので、カレンダーシートを有効に利用することができる。
【図面の簡単な説明】
【００１６】
【図１】本実施形態の壁掛けカレンダー１の概略斜視図である。
【図２】本実施形態の壁掛けカレンダー１において２カ月を連続して表示した状態にする作業の概略説明図である。
【図３】本実施形態の壁掛けカレンダー１において２カ月を連続して表示した状態にする作業の概略説明図である。
【図４】本実施形態の壁掛けカレンダー１において３カ月を連続して表示した状態の概略説明図である。
【図５】本実施形態の壁掛けカレンダー１において２カ月を連続して表示した状態から３カ月を連続して表示した状態にする作業の概略説明図である。
【図６】（Ａ）は本実施形態の壁掛けカレンダー１において、フレームシート１１を伸ばした状態の概略説明図であり、（Ｂ）は最前面のフレームシート１１を除去した状態の概略説明図である。
【図７】前月カレンダーシート２と後月カレンダーシート２を重ねて表示する例の説明図である。
【図８】（Ａ）はフレーム１０を形成する長尺なシートＳ１を伸ばした状態の平面図であり、（Ｂ）、（Ｃ）はシートＳ１の山折り谷折りを折った状態かつフレームシート１１における谷折り部を挟む側端縁同士を連結していない状態の概略図である。
【図９】フレーム１０およびカレンダーシート２を一枚のシートで形成するシートＳ２の概略説明図であり、（Ａ）は裏面の平面図であり、（Ｂ）は表面の平面図である。
【図１０】（Ａ）は本実施形態の壁掛けカレンダー１を形成できるカレンダーピース２０の概略説明図であり、（Ｂ）はカレンダーピース２０によって本実施形態の壁掛けカレンダー１を形成する作業の概略説明図である。
【図１１】（Ａ）は卓上カレンダー５０の使用状態を示した概略説明図であり、（Ｂ）は（Ａ）のＢ線矢視図であり、（Ｃ）は（Ａ）のＣ線矢視図であり、（Ｄ）はホルダー７０の概略説明図である。
【図１２】卓上カレンダー５０において２カ月を連続して表示した状態の概略説明図である。
【図１３】卓上カレンダー５０において３カ月を連続して表示した状態の概略説明図である。
【図１４】（Ａ）は本実施形態の縦置き卓上カレンダー１０１の使用状態を示した概略斜視図であり、（Ｂ）はホルダー１３０を外した状態の概略構造説明図であり、（Ｃ）はホルダー１３０の概略説明図である。
【図１５】本実施形態の縦置き卓上カレンダー１０１において、筒状構造体を形成する作業の概略説明図である。
【図１６】本実施形態の縦置き卓上カレンダー１０１において、フレーム１１０を形成する長尺なシートＳ１０を伸ばした状態の概略説明図であって、（Ａ）はカレンダーシート１０２が連結される面（表面）の平面図であり、（Ｂ）は裏面の平面図である。
【図１７】本実施形態の縦置き卓上カレンダー１０１において谷折り部を挟む側端縁同士を連結していない状態の概略説明図であって、（Ａ）は側面図であり、（Ｂ）は展開状態の斜視図である。
【図１８】フレーム１１０及びカレンダーシート１０２を一枚で形成するシートＳ１１の概略説明図であり、（Ａ）は表面の平面図であり、（Ｂ）は裏面の平面図である。
【図１９】（Ａ）および（Ｂ）は本実施形態の縦置き卓上カレンダー１０１を形成するカレンダーピース１２０の概略説明図であり、（Ｃ）および（Ｄ）はカレンダーピース１２０によって本実施形態の縦置き卓上カレンダー１０１を形成する作業の概略説明図である。
【図２０】壁掛けカレンダー１に変形させることが可能な構造を有する本実施形態の縦置き卓上カレンダー１０１のフレーム１１０Ｓを形成する長尺なシートＳ１０ｓの概略説明図であり、（Ａ）は表面の平面図であり、（Ｂ）は裏面の平面図である。
【図２１】縦置き卓上カレンダー１０１に変形させることが可能な構造を有する本実施形態の壁掛けカレンダー１のフレーム１０Ｓを形成する長尺なシートＳ１ｓの概略説明図であり、（Ａ）は表面の平面図であり、（Ｂ）は裏面の平面図である。
【図２２】重畳部を有するフレーム１０を形成するシートＳ１ａにおける重畳部を形成する部分の概略説明図であって、（Ａ）はシートＳ１ａを伸ばした状態の概略表面図であり、（Ｂ）はシートＳ１ａを伸ばした状態の概略裏面図であり、（Ｃ）は折り曲げ部ａ，ｂ，ｃを折り畳んだ状態の概略表面図であり、（Ｄ）は折り曲げ部ａ，ｂ，ｃを折り畳んだ状態の概略裏面図である。
【図２３】（Ａ）、（Ｃ）は重畳部を有するフレーム１０において重畳部を伸ばしていない状態の概略説明図であって（Ａ）は表面側の斜視図であり（Ｃ）は表面の正面図であり、（Ｂ）、（Ｄ）は重畳部を有するフレーム１０において重畳部を伸ばした状態の概略説明図であって（Ｂ）は表面側の斜視図であり（Ｄ）は表面の正面図である。
【発明を実施するための形態】
【００１７】
本発明のカレンダーは、複数の月を表示することができるカレンダーであって、所望の月を並べて配置することができるようにしたことに特徴を有している。
【００１８】
本発明のカレンダーは、壁などに吊るしておくことができる壁掛けカレンダーや、机の上などに置いて使用する卓上カレンダー等として使用できる。
【００１９】
（本実施形態の壁掛けカレンダー１の概略説明）
図１は、本実施形態の壁掛けカレンダー１の概略説明図である。
図１に示すように、本実施形態の壁掛けカレンダー１は、複数枚のカレンダーシート２と、複数枚のカレンダーシート２が連結されたフレーム１０と、から構成されている。
【００２０】
なお、フレーム１０に形成されている、表裏を貫通する貫通孔１０ｇは、本実施形態の壁掛けカレンダー１を吊り下げる際に、フックなどに引っ掛けるための孔である。この貫通孔１０ｇは、一つだけ設けてもよいし、２つ以上設けてもよい。しかし、貫通孔１０ｇは、後述する一対の切断部１０ｓ，１０ｓの間、かつ、後述するフレームシート１１の下端と後述する分離線１０ｄの間に形成される。これは、後述するように、フレーム１０の後述するフレームシート１１を伸ばした際に、貫通孔１０ｇがカレンダーシート２よりも上方に配置されるようにするためである（図２（Ｂ）、図４参照）。
【００２１】
（複数枚のカレンダーシート２）
まず、図１に示すように、複数枚のカレンダーシート２は、月ごとのカレンダーが表示されたものである。つまり、一枚のカレンダーシート２に、それぞれ一月分のカレンダーが表示されている。この複数枚のカレンダーシート２は、通常は、フレーム１０によって互いに重なった状態で保持されており、表面に位置するカレンダーシート２の月のカレンダーのみが視認できるようになっている。そして、複数枚のカレンダーシート２には、通常は、表面側から裏面側に向かって、１月から順に１２月までの各月のカレンダーが表示されている。
【００２２】
なお、本実施形態の壁掛けカレンダー１では、複数枚のカレンダーシート２が上下に並んで表示できるようになるのであるが（図２（Ｂ）、図４参照）、その理由は後述する。
【００２３】
また、図１では、カレンダーシート２に１ヶ月分のカレンダーが表示されている。しかし、カレンダーシート２は、必ずしも１枚に１ヶ月分のカレンダーが表示されているものに限られない。例えば、１枚のカレンダーシート２に連続する２ヶ月分や３ヶ月分のカレンダーが表示されていてもよい。
【００２４】
（フレーム１０）
図１に示すように、複数枚のカレンダーシート２は、その上端がフレーム１０によって保持されている。具体的には、フレーム１０は、一枚のシートが山折りと谷折りを繰り返して折り畳まれたような構造を有しており、その谷折り部にカレンダーシート２の上端が折り曲げ可能に連結されている（図８参照）。
【００２５】
しかも、このフレーム１０は、谷折り部を挟むシートの側端縁同士が連結されており、折り畳まれた状態を維持できるようになっている。
【００２６】
かかる構造であるので、フレーム１０において、側端縁同士の連結を解除して、山折りや谷折りを伸ばすことによって、複数枚のカレンダーシート２を上下方向に並べて配置できるようになっている。
【００２７】
以下では、山折り部を挟む一対のシートをフレームシート１１といい、このフレームシート１１において、山折り部よりも前面側に位置するシートを保持シート１２とし、山折り部よりも背面側に位置するシートを連結シート１３として説明する。つまり、フレーム１０が、複数のフレームシート１１を連結して形成されているとして説明する。
【００２８】
なお、上記構成の場合、フレーム１０では、隣接するフレームシート１１は、前面側に位置するフレームシート１１の連結シート１３の下端縁と、背面側に位置するフレームシート１１の保持シート１２の下端縁とが連結されており、その連結部分が谷折り部となる（図８（Ｂ）参照）。
【００２９】
また、最前面に位置するフレームシート１１には、その保持シート１２の下端縁に連続する吊り下げ片１０ｋが設けられている。この吊り下げ片１０ｋは、その幅が後述する一対の切断部１０ｓ，１０ｓの間の距離とほぼ同じ、かつ、フレーム１０の下端と後述する分離線１０ｄの高さとほぼ同じ長さに形成されており、上述した貫通孔１０ｇが形成されている（図１参照）。したがって、最前面に位置するフレームシート１１を伸ばした際には、この吊り下げ片１０ｋの貫通孔１０ｇにフックなどを通すことで、本実施形態の壁掛けカレンダー１を吊り下げることができる。
【００３０】
（１カ月表示）
まず、本実施形態の壁掛けカレンダー１において、カレンダーシート２を一枚ずつフレーム１０から分離して除去すれば、本実施形態の壁掛けカレンダー１を通常の月めくりカレンダーのように使用することができる。
【００３１】
なお、本実施形態の壁掛けカレンダー１では、谷折り部を挟むシートの側端縁同士が連結されているが、その連結されている両側端縁よりも内方に、両側端縁に沿ってミシン目等の一対の切断部１０ｓ，１０ｓを設けてもよい。そして、一対の切断部１０ｓ，１０ｓを設け、かつ、谷折り部よりも前面側のシート（つまり前面側に位置するフレームシート１１の連結シート１３）において、一対の切断部１０ｓ，１０ｓを繋ぐようにミシン目等の分離線１０ｄを設けておく。すると、除去するカレンダーシート２ａと連結されたシート（つまり、前面側に位置するフレームシート１１）を、カレンダーシート２ａとともに除去できる。なお、この場合には、分離線１０ｄと谷折り部との間の部分は背面側に位置するフレームシート１１の保持シート１２に連結された状態で残されるので、この部分が上述した吊り下げ片１０ｋになる（図６（Ｂ）参照）。
【００３２】
（２カ月表示）
つぎに、２カ月のカレンダーを並べて配置する場合を説明する。
【００３３】
まず、図２に示すように、フレーム１０において、最前面に位置するフレームシート１１では、保持シート１２の下端縁にカレンダーシート２（前側カレンダーシート２ａ）が連結されている。上述したように、フレームシート１１では山折り部を挟む保持シート１２の側端縁と連結シート１３の側端縁とが連結されていないので、山折り部を伸ばすことができる。すると、最前面に位置するフレームシート１１の山折り部を伸ばすことによって、前側カレンダーシート２ａを、フレームシート１１において連結シート１３の下端縁（つまり谷折り部）に連結されているカレンダーシート２（背面側カレンダーシート２ｂ）よりも上方に配置することができる。
【００３４】
つまり、最前面に位置するフレームシート１１の山折り部を伸ばすことによって、前側カレンダーシート２ａは、山折り部を支点として上方に揺動する（図２（Ａ）、図３（Ｂ））。そのとき、前側カレンダーシート２ａを、フレームシート１１の保持シート１２との連結部分において、山折り部を伸ばす方向と逆方向に折り曲げる（図３（Ｃ）、（Ｄ））。すると、フレームシート１１において山折り部を伸ばした部分の前面に前側カレンダーシート２ａは配置される。言い換えれば、フレームシート１１の山折り部を伸ばす動作によって、前側カレンダーシート２ａを、背面側カレンダーシート２ｂと略平行な状態のまま上方に移動させることができる（図３（Ｃ）、（Ｄ））。そして、フレームシート１１において山折り部を伸ばした部分は背面側カレンダーシート２ｂの上方に位置するので、前側カレンダーシート２ａは、背面側カレンダーシート２ｂの上方に背面側カレンダーシート２ｂと上下に並ぶように配置できるのである（図２（Ｂ））。
【００３５】
つまり、本実施形態の壁掛けカレンダー１では、フレーム１０の最前面に位置するフレームシート１１の山折り部を伸ばすだけで、この最前面に位置するフレームシート１１に連結された前側カレンダーシート２ａと、この最前面に位置するフレームシート１１の背面側に位置するフレームシート１１に連結された背面側カレンダーシート２ｂを、上下に並べて配置することができる。
【００３６】
しかも、前側カレンダーシート２ａには、背面側カレンダーシート２ｂに表示されている月の前の月のカレンダーが表示されているから、上方に早い月（図２では１月）が表示され、下方にその次の月（図２では２月）を表示させることができる。つまり、上から下に月が進行するように表示できるので、２カ月分のカレンダーシート２を上下に並べても、その表示を人の感覚にあった表示とすることができる。
【００３７】
（３ヶ月表示）
また、図４に示すように、３カ月分のカレンダーシート２を上下に並べる場合には、最前面に位置するカレンダーシート２（現在カレンダーシート２ｘ）が連結されているフレームシート１１（前方フレームシート１１Ａ）の山折り部に加えて、このフレームシート１１と連続しているフレームシート１１（背面フレームシート１１Ｂ）の山折り部、および、両フレームシート１１が連結されている谷折り部を伸ばせばよい。
【００３８】
まず、図５（Ａ）に示すように、２カ月分のカレンダーシート２が上下に並んだ状態において、前方フレームシート１１Ａの連結シート１３と背面フレームシート１１Ｂの保持シート１２の側端縁同士の連結を解除する。なお、この状態では、前方フレームシート１１Ａの山折り部は伸びた状態になっている。
【００３９】
上記状態から、背面フレームシート１１Ｂの山折り部を伸ばしつつ、前方フレームシート１１Ａの連結シート１３と背面フレームシート１１Ｂの保持シート１２の間の谷折り部を伸ばす。すると、背面フレームシート１１Ｂの山折り部が伸びるに従って、谷折り部は上方に移動し、この谷折り部に連結されている１ヶ月後のカレンダーシート２ｙも上方に移動する。すると、背面フレームシート１１Ｂの連結シート１３に連結されている２ヶ月後のカレンダーシート２ｚを露出させることができる。
【００４０】
そして、前方フレームシート１１Ａの連結シート１３と背面フレームシート１１Ｂの保持シート１２の間の谷折り部と、背面フレームシート１１Ｂの山折り部が伸びると、前方フレームシート１１Ａから背面フレームシート１１Ｂまでが一枚の平面のようになる（図４参照）。
【００４１】
すると、現在カレンダーシート２ｘは山折り部が伸びた前方フレームシート１１Ａの前面に配置され、１ヶ月後のカレンダーシート２ｙは山折り部が伸びた背面フレームシート１１Ｂの前面に配置される。つまり、１ヶ月後のカレンダーシート２ｙは、現在カレンダーシート２ｘの下方に並んで配置される。そして、背面フレームシート１１Ｂの下方、つまり、１ヶ月後のカレンダーシート２ｙの下方には、２ヶ月後のカレンダーシート２ｚが配置される。
【００４２】
以上のように、本実施形態の壁掛けカレンダー１では、側端縁同士の連結を解除して、フレーム１０の隣接するフレームシート１１の山折り部と、隣接するフレームシート１１間の谷折り部を伸ばすだけで、３ヶ月連続するカレンダーシート２を、上下に並べて配置することができる。
【００４３】
なお、３ヶ月連続するカレンダーシート２を上下に並べる場合と同様の方法で、３カ月以上連続するようにカレンダーシート２を上下に並べることもできる。つまり、前面側に位置するフレームシート１１の連結シート１３と背面側に位置するフレームシート１１の保持シート１２の側端縁同士の連結を解除する。そして、前面に位置するフレームシート１１の山折り部を伸ばすとともに、両フレームシート１１間の谷折り部および背面に位置するフレームシート１１の山折り部を伸ばせば、隣接するカレンダーシート２を上下に並べることができる。したがって、複数のフレームシート１１のセット（つまり前面に位置するフレームシート１１と背面側に位置するフレームシート１１）において側端縁同士の連結を解除して、山折り部および谷折り部を伸ばせば、複数月のカレンダーシート２を上下に並べることもできる。
【００４４】
（任意の連続するカレンダーシート２を並べる場合）
上記例では、最前面に位置するカレンダーシート２から連続するカレンダーシート２を上下に並べて配置する場合を説明した。
【００４５】
しかし、本実施形態の壁掛けカレンダー１では、上下に並べて配置するカレンダーシート２は必ずしも連続するカレンダーシート２に限られず、任意のカレンダーシート２を並べることも可能である。
【００４６】
（任意の連続するカレンダーシート２を２カ月並べる場合）
つまり、最前面に位置するフレームシート１１に限らず、所望の位置におけるフレームシート１１の山折り部を伸ばせば、そのフレームシート１１の連結シート１３の下端縁に連結されているカレンダーシート２の上方に、そのカレンダーシート２よりも前面に位置するカレンダーシート２を配置することができる。
【００４７】
なお、連結されているカレンダーシート２の上方に配置されるカレンダーシート２は、山折り部を伸ばしたフレームシート１１よりも前面側に位置するカレンダーシート２のうち、最前面に位置するカレンダーシート２となる。
【００４８】
（任意の連続するカレンダーシート２を３カ月以上並べる場合）
また、任意の連続するカレンダーシート２を上下に２カ月以上並べる場合には、以下のように、複数の月を並べて配置すればよい。
【００４９】
つまり、フレーム１０において、山折り部とともに谷折り部も伸ばせば、谷折り部を伸ばした数よりも２つ多いカレンダーシート２（言い換えれば山折り部を伸ばした数よりも一つ多いカレンダーシート２）を上下に並べて配置することができる。そして、上記のように、連続するカレンダーシート２を上下に並べたい場合には、以下のような位置の谷折り部を伸ばせば、任意の連続するカレンダーシート２を上下に並べることができる。
【００５０】
なお、谷折り部を伸ばす際には、その谷折り部を挟む連結シート１３と保持シート１２の側端縁同士の連結を解除する必要があるが、以下の説明では、その作業は割愛して説明する。
【００５１】
具体的には、下方に配置するカレンダーシート２が連結シート１３に連結されている直前のフレームシート１１と、そのフレームシート１１の保持シート１２に連結シート１３が連結されているフレームシート１１（前方フレームシート１１）との間の谷折り部（前方谷折り部）を伸ばす。合わせて、直前のフレームシート１１と前方フレームシート１１の両方の山折り部を伸ばす。すると、直前のフレームシート１１の山折り部を伸ばすことによって、前方谷折り部は上方に移動し、前方谷折り部に連結されている１ヶ月前のカレンダーシート２も上方に移動する。このとき、前方フレームシート１１の山折り部を伸ばすことによって、前方フレームシート１１よりも前のフレームシート１１やそのフレームシート１１に連結されているカレンダーシート２（前方カレンダーシート２）も上方に移動される。そして、直前のフレームシート１１の山折り部と、前方谷折り部、前方フレームシート１１の山折り部、の全てが伸びると、前方フレームシート１１から直前のフレームシート１１までが一枚の平面のようになる。すると、前方カレンダーシート２は全て前方フレームシート１１の前面に配置され、１ヶ月前のカレンダーシート２のみが直前のフレームシート１１の前面に配置されることになる。したがって、連続するカレンダーシート２を上下に並べることができる。
【００５２】
なお、上述したように、任意の連続するカレンダーシート２を並べる場合、最上部に位置するカレンダーシート２は、最前面に位置するカレンダーシート２となる。しかし、最前面に位置するカレンダーシート２を含めて、任意の連続するカレンダーシート２を上下に複数並べる場合には、１カ月表示をする場合に説明したような方法で、最上方に表示したいカレンダーシート２よりも前のカレンダーシート２を除去すればよい。
【００５３】
（カレンダーシート２について）
カレンダーシート２の高さＨは、フレームシート１１の山折り部を伸ばした際におけるフレームシート１１の山折り部を挟む谷折り部間の距離（以下では展開距離という）と同じ長さになるように形成しておくことが望ましい。そのようにしておけば、カレンダーシート２同士が重なることがないので、カレンダーシート２を有効に利用することができる。
【００５４】
また、図７に示すように、カレンダーシート２の高さＨは、展開距離よりも長くしてもよい。この場合、週の途中で月が替わる場合に、前の月のカレンダーシート２（前月カレンダーシート２）の最終週と、次の月のカレンダーシート２（後月カレンダーシート２）の第１週目とを連続して表示することも可能となる。具体的には、前月カレンダーシート２を上方に配置した状態で、最終週の部分が、後月カレンダーシート２の第１週目と重なる長さとなるように形成する（図７（Ｂ））。そして、前月カレンダーシート２の最終週において、最終日以降の部分を除去すれば、前月の最終週と次の月の第１週目を連続した状態で表示することができる（図７（Ｂ））。この場合、最終日以降の部分を除去するためのミシン目等を形成しておくことが望ましい（図７（Ａ）参照）。
【００５５】
とくに、上記構成は、１月が６週に跨る場合に有効である。通常、１月が６週に跨る場合には、第６週目に該当する日は、第５週目の同じ曜日の部分に記載することが一般的である。すると、第６週目に該当する日および第５週目の同じ曜日の部分は、メモ欄などを設けることが難しくなる。しかし、上述したような構成として、前月カレンダーシート２の第６週目の部分が、後月カレンダーシート２の第１週目と重なる長さとなるように形成すれば、第６週目に該当する日および第５週目の同じ曜日の部分にも、他の週と同じようなメモ欄などを設けることができる。
【００５６】
なお、前月カレンダーシート２が第６週目を有する場合にあわせて、すべてのフレームシート１１において、第６週目の部分が後月カレンダーシート２の第１週目と同列になるように展開距離を調整すると、以下の問題が生じる。前月カレンダーシート２が第５週目までしか有しない場合、前月カレンダーシート２の第５週目は、後月カレンダーシート２の第１週目よりも１週分上方に位置してしまう。すると、前月カレンダーシート２の第５週目と後月カレンダーシート２の第１週目を同じ列に並べることができなくなる。したがって、フレームシート１１には、後述する重畳部のような展開距離を調整できる構成を設けることが望ましい。
【００５７】
また、カレンダーシート２は、１月が６週に跨る月を考慮して全てのカレンダーシート２の高さを高くすると、他の月では、余白が多くなってしまうという問題が生じる。そこで、６週に跨る月のカレンダーシート２（以下、長尺カレンダーシート２という）だけ、その高さを高くしてもよい。つまり、長尺カレンダーシート２は、第６週目の分だけ、他のカレンダーシート２よりも高さを高くしてよい。この場合、長尺カレンダーシート２を他のカレンダーシート２と同じようにフレームシート１１に連結すると、長尺カレンダーシート２の下端が他のカレンダーシート２の下端よりも突出してしまうので、長尺カレンダーシート２には、フレーム１０との連結部近傍や長尺カレンダーシート２が連結されているフレームシート１１に展開距離を調整する重畳部を設けることが望ましい。かかる重畳部を設ければ、長尺カレンダーシート２の下端と他のカレンダーシート２の下端を揃えることができる。
【００５８】
なお、重畳部を設けた場合において、重畳部を折り畳んだ状態に維持する方法はとくに限定されない。そして、長尺カレンダーシート２が最前面に位置する場合や、上述した前月カレンダーシート２になる場合には、重畳部を伸ばせばよい。
【００５９】
重畳部を設ける構造はとくに限定されないが、以下のような構造を採用することができる。
【００６０】
例えば、第６週目を有するカレンダーシート２が保持シート１２に連結されているフレームシート１１に重畳部を設ける。そして、重畳部を折り畳んだ状態において、前月カレンダーシート２が第５週目までしか有しない場合に第５週目の部分が後月カレンダーシート２の第１週目と同列になるように展開距離を調整する。一方、重畳部を伸ばすとカレンダーシート２が上方に移動し、前月カレンダーシート２が第６週目を有する場合に第６週目の部分が後月カレンダーシート２の第１週目と同列になるように重畳部の長さを調整する。すると、前月カレンダーシート２が第５週目までしか有しない月であっても第６週目を有する月であっても、前月カレンダーシート２の最終週の部分を後月カレンダーシート２の第１週目と同列になるようにすることができる。
【００６１】
また、山折り部の位置に谷折り（伸展用谷折り）を形成して、この伸展用谷折り部を形成する一対のシート状部分の側端縁同士を接着しておく。すると、伸展用谷折り部を形成する一対のシート状部分において、側端縁の接着されている部分だけを分離すれば、重畳部を伸ばすことができる。この場合、側端縁の接着されている部分を分離できるように、接着されている部分と他の部分との間にミシン目等を設けておけば、重畳部の進展が容易になる。
【００６２】
また、重畳部は、図２２、図２３に示すように、谷折り部の近傍に形成してもよい。以下に、谷折り部の近傍に重畳部を形成した例の一例を示す。なお、図２２、図２３では、重畳部の構造を分かりやすくするために、図２２では重畳部を有するフレーム１０を形成するシートＳ１ａにおける重畳部を形成する部分のみを示し、図２３ではフレーム１０において重畳部が設けられているフレームシート１１の部分のみを示している。
【００６３】
図２２に示すように、シートＳ１ａにおいて、重畳部が設けられる谷折り部の前後のフレームシート１１を、フレームシート１１Ｘ、フレームシート１１Ｙとする。そして、フレームシート１１Ｘが保持シート１２Ｘ、連結シート１３Ｘとから形成されており、フレームシート１１Ｙが保持シート１２Ｙ、連結シート１３Ｙとから形成されているとする。
【００６４】
図２２、図２３に示すように、フレームシート１１Ｘおよびフレームシート１１Ｙを展開した状態では、連結シート１３Ｘには、重畳部を形成する折り曲げ部ａ，ｂ，ｃと、本体部ｄと、が設けられている。この折り曲げ部ａ，ｂ，ｃと本体部ｄは、フレームシート１１Ｙの保持シート１２Ｙとの連結部分（つまり谷折りＴ）からフレームシート１１Ｘの保持シート１２Ｘとの連結部分（つまり山折りＹ）に向かって、この順で並ぶように設けられている。
【００６５】
折り曲げ部ａ，ｂ，ｃは、折り曲げ部ａ，ｂの連結部分は山折りＹａ、折り曲げ部ｂ，ｃの連結部分は谷折りＴｂとなっている。なお、折り曲げ部ｃと本体部ｄの連結部分には折り目が設けられていない。
【００６６】
また、連結シート１３Ｘの側端縁は、折り曲げ部ｂ，ｃの位置では、一対の切断部１０ｓ，１０ｓの位置でその中央部と側端縁とが分離されている（図２２の線ｄａ参照）。しかも、連結シート１３Ｘの側端縁は、折り曲げ部ｃと本体部ｄの連結部分に対応する位置で分離されている（図２２の線ｄｂ参照）。つまり、折り曲げ部ｂ，ｃと対応する側端縁は、その基端部でのみ折り曲げ部ａの側端縁の上端縁と連結され、折り曲げ部ｂ，ｃとは分離されている。なお、以下では、折り曲げ部ｂ，ｃと対応する位置の側端縁は分離端縁ｄｆという。
【００６７】
そして、折り曲げ部ｂ，ｃは同じ高さに形成されている。また、折り曲げ部ａの高さｈａは、折り曲げ部ｂ，ｃの高さ（ｈｂｃの半分の高さ）と同等以上であり、しかも、折り曲げ部ａの高さｈａと本体部ｄの高さｈｄを合わせた高さが重畳部のない連結シート１３と同じ長さになるように形成されている。
【００６８】
フレームシート１１Ｘおよびフレームシート１１Ｙが以上のごとき形状であるので、展開した状態から以下のように折り畳めば、谷折り部に重畳部を有するフレームシート１１を形成することができる。
【００６９】
まず、折り曲げ部ａ，ｂ，ｃについて、折り曲げ部ａ，ｂ間の山折り線Ｙａで山折りし、かつ、折り曲げ部ｂ，ｃ間の谷折り線Ｔｂで谷折りして、折り曲げ部ａ，ｂ，ｃを折り畳む。このとき、折り曲げ部ｂ，ｃが折り曲げ部ａの背面側に位置するようにする。この状態では、折り曲げ部ａの上端縁と本体部ｄの下端縁がほぼ一致した状態になる。なお、折り曲げ部ｂ，ｃは折り曲げ部ａの前面側に位置してもよい。
【００７０】
一方、上記状態において、分離端縁ｄｆは、折り曲げ部ｂ，ｃから分離されており、本体部ｄの側端縁とも分離されている。このため、折り曲げ部ａ，ｂ，ｃを折り畳んでも、分離端縁ｄｆは折り畳まれない状態になっている。また、分離端縁ｄｆの下端縁は折り曲げ部ａの上端縁と一致するので、折り曲げ部ａ，ｂ，ｃが折り畳まれると、分離端縁ｄｆは本体部ｄの側端縁と重なる状態になる。この分離端縁ｄｆを、本体部ｄの側端縁に重ねた状態で連結する。すると、折り曲げ部ａ，ｂ，ｃは、折り畳まれた状態に維持される。なお、分離端縁ｄｆは、本体部ｄの側端縁と連結する際に、本体部ｄの背面側に配置されるが、本体部ｄの前面側に配置してもよい。
【００７１】
分離端縁ｄｆと本体部ｄの側端縁とを連結した後、フレームシート１１Ｘの連結シート１３Ｘとフレームシート１１Ｙの保持シート１２Ｙの側端縁を連結する。すると、重畳部を設けても、重畳部を設けていない場合とほぼ同じ状態のフレーム１０を形成することができる。なお、この状態では、折り畳まれた折り曲げ部ｂ，ｃは、折り曲げ部ａとフレームシート１１Ｙの保持シート１２Ｙとの間に挟まれた状態で保持される。
【００７２】
かかるフレーム１０でも、フレームシート１１Ｘの山折り部を伸ばせば、フレームシート１１Ｘに連結されているカレンダーシート１２（図示なし）とフレームシート１１Ｙに連結されているカレンダーシート１２（図示なし）とを上下に並べて表示できる。この際に、以下のようにすれば、フレームシート１１Ｘに連結されているカレンダーシート１２が６週を有する場合でも、このカレンダーシート１２の第６週目とフレームシート１１Ｙに連結されているカレンダーシート１２の第１週目とが連続するように重ねることができる。
【００７３】
図２３に示すように、フレームシート１１Ｘの山折り部を伸ばす際に、一対の切断部１０ｓ，１０ｓの位置で、本体部ｄの中央部と側端縁とを分離する。ついで、フレームシート１１Ｘの保持シート１２Ｘを上方に引き上げる。すると、本体部ｄと連結されている折り曲げ部ｂ，ｃが伸ばされる。言い換えれば、折り曲げ部ｂ，ｃは、折り曲げ部ａとフレームシート１１Ｙの保持シート１２Ｙとの間から引き出される。すると、フレームシート１１Ｘの保持シート１２Ｘに連結されているカレンダーシート１２は、折り曲げ部ｂ，ｃの長さを合わせた長さｈｂｃの分だけ、重畳部が無い場合よりも上方に位置させることができる。
【００７４】
したがって、折り曲げ部ｂ，ｃの長さを合わせた長さｈｂｃを、カレンダーシート１２の１週分の長さ（つまり１週分の高さ）になるように調整しておけば、フレームシート１１Ｘに連結されているカレンダーシート１２が６週を有する場合でも、このカレンダーシート１２の第６週目とフレームシート１１Ｙに連結されているカレンダーシート１２の第１週目とが連続するように重ねることができる。
【００７５】
また、前月カレンダーシート２が第５週目までしか有しないフレームシート１１にも、重畳部を設けてもよい。この場合、重畳部を折り畳んだ状態では、前月カレンダーシート２の最終週と後月カレンダーシート２の第１週目とを同列にでき、重畳部を伸ばすと、前月カレンダーシート２と後月カレンダーシート２が重ならないようにすることができる。つまり、前月カレンダーシート２の最終週と後月カレンダーシート２の第１週目との関係を、使用者の好みに合わせて調整することができる。
【００７６】
（フレームシート１１の利用方法）
また、上記のごとき構成では、カレンダーシート２は、山折り部を伸ばしたフレームシート１１の前面に配置されるので、山折り部を伸ばしたフレームシート１１をカレンダーシート２によって覆い隠すことができる。すると、山折り部を伸ばしたフレームシート１１にメモ等を記載できるスペースを設けておけば、その部分は、通常の状態ではメモが見えないようにすることができる。したがって、山折り部を伸ばしたフレームシート１１を、重要な事項等をメモしておくことができるスペースとして使用することができる（図６（Ａ）参照）。
【００７７】
また、フレームシート１１の表面部分（例えばカレンダーシート２の上部に位置する部分等）には、図柄や文字などの種々の印刷を施すことができる。例えば、企業名やロゴ等を印刷すれば、広告宣伝用のカレンダーとして使用することができる。また、壁掛けカレンダー１の場合、最後尾に台紙を設けてもよく、その場合には、台紙においてカレンダーシート２と重ならない部分に上述したような印刷を施してもよい。例えば、台紙の長さがカレンダーシート２よりも長い場合には、台紙の下端部に上記のような印刷を施してもよい。また、台紙の幅がカレンダーシート２よりも広い場合には、台紙の側端に上記のような印刷を施してもよい。
【００７８】
（側端部の連結）
上述したフレーム１０では、谷折り部を挟むシートの側端縁同士、つまり、隣接するフレームシート１１において、前方に位置するフレームシート１１の連結シート１３と、背面側に位置するフレームシート１１の保持シート１２の側端縁同士が連結されている。この側端縁同士を連結する方法はとくに限定されず、接着剤やテープ、クリップ、磁石等によって連結することができる。
【００７９】
接着剤やテープで連結した場合には、谷折り部を挟むシートの側端縁同士が着脱できないようにしっかりと連結される。一方、この場合には、谷折り部を伸ばすには、シート同士が連結されている側端縁を他の部分から切り離さなければならない。側端縁を切り離す場合、ハサミやカッター等を使用してもよい。しかし、上述したように、側端縁同士が連結されている部分よりも内方にミシン目等の切断部１０ｓを設けておくことが望ましい。かかる切断部１０ｓを設けておけば、ハサミなどを使用しなくても、簡単に側端縁同士の連結を解除できる（図５（Ａ）参照）。
【００８０】
また、クリップや一対の磁石等を使用して谷折り部を挟むシート同士の側端縁を連結すれば、簡単に連結を解除できる。とくに、以下のような方法で一対の磁石を連結したものでシート同士の側端縁を連結するようにしておけば、連結と連結解除がよりやりやすくなる。例えば、図１１に示すように、フレーム１０の側端縁を側方から覆うような一対の結束部材４１，４１を設ける。そして、各結束部材４１では、その両端に一対の磁石４２，４２を取り付ける。そして、各結束部材４１の一方の端部に設けられている磁石４２をフレーム１０に固定しておく。すると、各結束部材４１の他端をフレーム１０の表面に接近離間させるだけで、谷折り部を挟むシート同士の側端縁を連結した状態にしたり、連結が解除された状態にしたりすることができる。
【００８１】
なお、一対の結束部材４１，４１は、その他端同士を連結して一つの結束部４０としてもよい（図１１参照）。
【００８２】
また、クリップや一対の磁石等によって谷折り部を挟むシートの側端縁同士を連結する場合には、フレーム１０の全てのフレームシート１１の側端縁を前後から挟むことになる。すると、谷折り部を挟むシートの側端縁同士だけでなく、山折り部を挟むシートの側端縁同士も連結した状態にできるので、フレーム１０を束ねた状態にできるという利点が得られる。
【００８３】
また、クリップや一対の磁石等によって、フレーム１０を束ねた状態にする場合、谷折り部を挟むシートの側端縁同士は必ずしも連結しなくてもよい。しかし、この場合でも、谷折り部を挟むシートの側端縁同士は接着剤やテープによって連結しておくほうが望ましい。すると、クリップや一対の磁石等が外れても、フレーム１０がばらけた状態にならないという利点が得られる。
【００８４】
上述したように、本明細書では、「シート同士の側端縁が連結した状態」には、クリップや一対の磁石等によってシートの側端縁を挟んだ状態も含んでいる。つまり、上述したように、「シート同士の側端縁が連結した状態」は、シート同士が接着剤やテープ等によって固定された状態に限られず、クリップや一対の磁石等によってシート同士が面接触した状態で離間できないように保持されている状態のいずれも含んでいる。
【００８５】
（カレンダーシート２保持部）
フレーム１０には、カレンダーシート２の下端を保持する保持部を設けてもよい。例えば、フレームシート１１の連結シート１３において、山折り部を伸ばした際の前面に位置する部分に、カレンダーシート２の下端部や側面を挟んで保持できるフレーム側保持部を設けてもよい。この場合、上方に配置したカレンダーシート２がバタついたりめくれあがったりすることを防止できる。
同様に、フレーム１０の最背面に台紙を設けて、この台紙に重なり合ったカレンダーシート２を保持しておく台紙側保持部を設けてもよい。この場合も、フレーム側保持部上記と同様に、台紙側保持部によってカレンダーシート２がバタついたりめくれあがったりすることを防止できる。
【００８６】
（本実施形態の壁掛けカレンダー１の製造方法）
本実施形態の壁掛けカレンダー１は、交互に山折り谷折りされたシートの谷折り部にカレンダーシート２が連結されていればよく、その製造方法はとくに限定されない。一枚のシートからなるフレーム１０にカレンダーシート２を取り付けて本実施形態の壁掛けカレンダー１を形成してもよいし、カレンダーシート２も含めて一枚のシートで本実施形態の壁掛けカレンダー１を形成してもよい。
【００８７】
（フレーム１０とカレンダーシート２が別体の場合）
例えば、前者の場合には、以下のような方法で本実施形態の壁掛けカレンダー１を製造することができる。
【００８８】
まず、図８に示すように、一枚の長尺なシートＳ１に、その長手方向に沿って交互に山折り谷折りの折り目Ｙ，Ｔを形成する。このとき隣接する折り目間の距離Ｌ（隣接する山折りＹと谷折りＴの距離Ｌ）は同じ長さになるように形成する。また、シートＳ１の側端縁Ｓａに沿って、一対の切断部１０ｓ，１０ｓとなる一対の破断線Ｓｃ，Ｓｃを形成する。そして、山折り線Ｙを挟むシート、つまり、フレームシート１１の保持シート１２と連結シート１３になるシートのうち、連結シート１３になるシートには、一対の破断線Ｓｃ，Ｓｃを繋ぐように、分離線１０ｄとなる切り離し線Ｓｄを形成する。なお、連結シート１３になる部分において谷折りＴと切り離し線Ｓｄとの間の部分（孔形成部）、および、保持シート１２になる部分においてフレームシート１１になったときに孔形成部と対応する部分に、貫通孔１０ｇとなる孔ｈを形成しておいてもよい。
【００８９】
このように形成されたシートＳ１において、谷折り線Ｔを挟むシート（つまり隣接するフレームシート１１の保持シート１２と連結シート１３となるシート）の側端縁において、破断線Ｓｃよりも外方の部分(図８のハッチング部)に接着剤を塗布して(図８（Ａ）のハッチング部)、シートＳ１を山折り谷折りして折り畳む。すると、隣接するフレームシート１１において、対応する保持シート１２の側端縁と連結シート１３の側端縁とが連結されたフレーム１０を形成することができる。
【００９０】
そして、このフレーム１０の谷折りの部分にカレンダーシート２の上端を連結すれば、本実施形態の壁掛けカレンダー１を形成することができる。
なお、貫通孔１０ｇは、フレーム１０を形成した後に形成してもよい。
【００９１】
（フレーム１０とカレンダーシート２が一体の場合）
また後者の場合には、以下のような方法でも本実施形態の壁掛けカレンダー１を製造することができる。
【００９２】
この場合には、長尺なシートＳ２を折り曲げて、フレーム１０とカレンダーシート２の両方を形成する。具体的には、図８のシートＳ１における、隣接するフレームシート１１を形成するシート間に、カレンダーシート２となるシートを設ける。
【００９３】
例えば、図９に示すように、シートＳ２では、シートＳ１における山折り線Ｙ１よりも前方に、シートＳ２の端縁から山折り線Ｙ１に向かって順番に、山折り線Ｙａ、谷折り線Ｔａ、山折り線Ｙｂをその順で形成する。しかも、山折り線Ｙａから谷折り線Ｔａまでの距離と、谷折り線Ｔａから山折り線Ｙｂまでの距離を、いずれも同じ距離Ｌ２とする。この場合、山折り線Ｙａ、谷折り線Ｔａ、山折り線ＹｂでシートＳ２を折り曲げて折り畳み、山折り線Ｙａと谷折り線Ｔａの間のシートと、谷折り線Ｔａと山折り線Ｙｂの間のシートと、を面接触するように重ね合わせて貼り合せる。すると、これらの部分で一枚のシートを形成することができる。つまり、カレンダーシート２を形成することができる。
【００９４】
このカレンダーシート２の場合、山折り線Ｙｂにおいて、フレームシート１１の保持シート１２となる部分に連結された状態となる。したがって、カレンダーシート２を形成した後、シートＳ２をシートＳ１と同様にして折り畳めば、フレーム１０の谷折りの部分にカレンダーシート２の上端が連結された本実施形態の壁掛けカレンダー１を形成することができる。
【００９５】
なお、上記距離Ｌ２は、距離Ｌの２倍または２倍以下となるようにしておくことが望ましい。すると、カレンダーシート２を上下に並べた場合でも、カレンダーシート２同士が重なることがないので、カレンダーシート２を有効に利用することができる。
【００９６】
（カレンダーピース２０）
上述したように、本実施形態の壁掛けカレンダー１のフレーム１０（または本実施形態の壁掛けカレンダー１全体）では、複数のフレームシート１１が一枚のシートによって連続して形成されていることが好ましい。この場合、山折り部や谷折り部を開いたり閉じたりしても、山折り部や谷折り部で連結が外れたりしないので、本実施形態の壁掛けカレンダー１を安定して設置しておくことができる。
【００９７】
しかし、本実施形態の壁掛けカレンダー１は、複数のカレンダーピース２０を連結して形成してもよい。複数のカレンダーピース２０を連結して形成した場合には、使用者の好みや用途に合わせた壁掛けカレンダー１を形成することができる。つまり、月によってフレームシート１１やカレンダーシート２の図柄を変更したり、特定のカレンダーシート２だけ複数月を表示したりするようにすることもできる。
【００９８】
かかるカレンダーピース２０は、図１０に示すような構成とすればよい。つまり、一枚のシートを山折りして、保持シート２２と連結シート２３とを有するフレームシート２１を形成する。なお、保持シート２２の長さＬ３と連結シート２３の長さＬ４は同じ長さに形成する。また、保持シート２２および連結シート２３の側端縁には、一対の破断線Ｓｃ，Ｓｃを形成し、連結シート２３には切り離し線Ｓｄを設けておく。
【００９９】
また、保持シート２２の保持端縁２２ｓには、保持端縁２２ｓで保持シート２２と谷折りされた状態となるように連結された折り曲げ連結部２４を設ける。なお、折り曲げ連結部２４の長さＬ５は、少なくとも連結シート２３の長さＬ４と同じまたは短くする。
【０１００】
そして、保持シート２２の保持端縁２２ｓに、カレンダーシート２５の上端縁を連結する。なお、カレンダーシート２５の上端縁を連結する方法はとくに限定されない。テープ等によって保持シート２２の保持端縁２２ｓとカレンダーシート２５の上端縁とを連結してもよい。また、カレンダーシート２５の上端縁に連結片を設けて、この連結片を保持シート２２に接着またはテープなどによって連結してもよい。
【０１０１】
このようなカレンダーピース２０を複数連結すれば、本実施形態の壁掛けカレンダー１を形成することができる（図１０（Ｂ）参照）。つまり、隣接するカレンダーピース２０において、保持シート２２の保持端縁２２ｓに設けられた折り曲げ連結部２４と連結シート２３とを接着などして連結することによって、複数のカレンダーピース２０からなる連続シートＳ３を形成することができる。すると、隣接するカレンダーピース２０間には、保持シート２２と連結シート２３の間に谷折り部が形成されるので、山折り谷折りを折り畳んで、谷折りを挟む保持シート２２の側端縁と連結シート２３の側端縁を連結すれば、本実施形態の壁掛けカレンダー１を形成することができる。
【０１０２】
なお、連結シート２３の長さＬ４は、保持シート２２の長さＬ３よりも長くしてもよい。例えば、１２月のカレンダーピース２０について、連結シート２３を長くしておけば、連結シート２３を台紙として使用することができる。すると、別途台紙を用意しなくてもよくなる。この場合、１２月のカレンダーピース２０では、連結シート２３の長さＬ４は、保持シート２２の長さＬ３とカレンダーシート２の長さＬ２とを合せた長さよりも長くすればよい。
【０１０３】
他の月のカレンダーピース２０についても、連結シート２３を長くしてもよい。すると、使用者の好みに合わせて最終月をどの月にするかを選ぶことができるようになる。この場合には、連結シート２３において、保持シート２２との連結部から保持シート２２の長さＬ３の位置にミシン目等の切断部を設けておくことが望ましい。つまり、連結シート２３となる部分（フレーム部）と、フレーム部から延長している部分(台紙部分)との間にミシン目等の破断線を設けておくことが望ましい。すると、最終月としないカレンダーピース２０では、破断線で台紙部分をフレーム部から分離して除去することによって、台紙部分が邪魔にならないようにすることができる。
【０１０４】
また、フレームシート２１は、保持シート２２と連結シート２３との間に、上述したような重畳部を設けてもよい。つまり、保持シート２２と連結シート２３とが連結する部分の間に、谷折りした部分を設けて重畳部を形成してもよい。すると、重畳部を有するフレームシート２１に第６週目を有するカレンダーシート２を連結すれば、重畳部を伸ばすことによって、第６週目を有するカレンダーシート２の第６週と次の月のカレンダーシート２の第１週目とが同列となるように調整することができる。なお、この場合の重畳部の構造もとくに限定されず、上述したように谷折り部の近傍に重畳部を有する形状としてもよい（図２２、２３参照）。
【０１０５】
さらに、このカレンダーピース２０でも、カレンダーシート２５をフレームシート２１と一体で形成してもよい。つまり、保持シート２２と折り曲げ連結部２４の間に、折り畳めばカレンダーシート２５となるシートを設ければ、カレンダーシート２５も一体で形成することができる（図９参照）。
【０１０６】
また、カレンダーシート２５の上端と、フレームシート２１の保持シート２２の間に、折り曲げ連結部２４の長さＬ５と同じ長さの一対のシートを設けてもよい。この場合には、一対のシートを折り畳んで折り曲げ連結部２４を形成することができる。この方法の場合、カレンダーシート２５となる部分は１枚のシートでよい。すると、折り曲げ連結部２４の長さＬ５は、カレンダーシート２５の長さＬ２よりも短いので、カレンダーピース２０を形成するシートを短くできるという利点が得られる。
【０１０７】
（卓上カレンダー５０）
本発明のカレンダーは、上述した壁掛けカレンダー以外にも、机の上などに置いて使用する卓上カレンダーとして使用できる。卓上カレンダーとして使用する場合には、横置きとすることによって、複数の月を横に並べて表示させることができる。
以下では、卓上カレンダー５０を説明するが、上述した壁掛けカレンダー１と実質的に同様の構成の部分は適宜割愛する。
【０１０８】
図１１は、卓上カレンダー５０の概略説明図である。
図１１に示すように、卓上カレンダー５０は、複数枚のカレンダーシート５２と、複数枚のカレンダーシート５２が連結されたフレーム６０と、から構成されている。
また、卓上カレンダー５０では、フレーム６０やカレンダーシート５２を保持するホルダー７０を備えている。
【０１０９】
（複数枚のカレンダーシート５２）
複数枚のカレンダーシート５２は、横置きした際に文字が読めるようになっている以外は、実質的に、壁掛けカレンダー１のカレンダーシート２と同様の構成を有している。つまり、複数枚のカレンダーシート５２は、通常は、フレーム６０によって互いに重なった状態で保持されており、表面に位置するカレンダーシート５２の月のカレンダーのみが視認できるようになっている。そして、複数枚のカレンダーシート５２には、通常は、表面側から裏面側に向かって、１月から順に１２月までの各月のカレンダーが表示されている。
【０１１０】
（フレーム６０）
図１１に示すように、複数枚のカレンダーシート５２は、その側端（図１１では向かって左端、以下単にカレンダーシート５２の左端という）がフレーム６０によって保持されている。このフレーム６０は、壁掛けカレンダー１のフレーム１０と実質的に同様の構成を有している。つまり、一枚のシートが山折りと谷折りを繰り返して折り畳まれたような構造を有しており、その谷折り部にカレンダーシート５２の左端が折り曲げ可能に連結されている。
【０１１１】
そして、このフレーム６０でも、谷折り部を挟むシートの端縁同士が連結されており、折り畳まれた状態を維持できるようになっている。つまり、フレーム６０は、壁掛けカレンダー１のフレーム１０の谷折り部を挟むシートの側端縁に相当する、谷折り部を挟むシートの上下端縁が連結されている。
【０１１２】
かかる構造であるので、フレーム６０において、山折りや谷折りを伸ばすことによって、複数枚のカレンダーシート５２を左右方向に並べて配置できるようになっている。そして、複数枚のカレンダーシート５２を左右方向に並べて配置した状態でホルダー７０に取り付ければ、机などの上に、複数枚のカレンダーシート５２が横に並んだ状態で、机に配置しておくことができる。
【０１１３】
以下の説明では、山折り部を挟む一対のシートをフレームシート６１といい、このフレームシート６１において、山折り部よりも前面側に位置するシートを保持シート６２とし、山折り部よりも背面側に位置するシートを連結シート６３として説明する（図１３参照）。つまり、上述した壁掛けカレンダー１と同様に、フレーム６０が、複数のフレームシート６１を連結して形成されているとして説明する。
【０１１４】
なお、卓上カレンダー５０のフレーム６０では、隣接するフレームシート６１は、前面側に位置するフレームシート６１の連結シート６３の右端縁と、背面側に位置するフレームシート６１の保持シート６２の左端縁とが連結されており、その連結部分が谷折り部となる。
【０１１５】
（１カ月表示）
まず、本実施形態の卓上カレンダー５０でも、上述した壁掛けカレンダー１と同様に、カレンダーシート５２を一枚ずつフレーム６０から分離して除去すれば、本実施形態の卓上カレンダー５０を通常の月めくりカレンダーのように使用することができる。
【０１１６】
なお、本実施形態の卓上カレンダー５０でも、上述した壁掛けカレンダー１と同様に、谷折り部を挟むシートの上下端縁よりも内方に、上下端縁に沿ってミシン目等の一対の切断部６０ｓ，６０ｓや、谷折り部よりも前面側のシートに一対の切断部６０ｓ，６０ｓを繋ぐようにミシン目等の分離線６０ｄを設けておくことが望ましい（図１１参照）。この場合には、除去するカレンダーシート５２と連結されたシート（つまり、前面側に位置するフレームシート６１）を、カレンダーシート５２とともに除去できる（図６（Ｂ）参照）。
【０１１７】
（２カ月表示）
つぎに、２カ月のカレンダーを横に並べて配置する場合を説明する。
【０１１８】
まず、図１２に示すように、フレーム６０において、最前面に位置するフレームシート６１では、保持シート６２の右端縁にカレンダーシート５２（前側カレンダーシート５２ａ）が連結されている。フレームシート６１では山折り部を挟む保持シート６２と連結シート６３の上下端縁が連結されていないので、山折り部を伸ばすことができる。すると、山折り部を伸ばすことによって、前側カレンダーシート５２ａを、フレームシート６１において連結シート６３の右端縁（つまり谷折り部）に連結されているカレンダーシート５２（背面側カレンダーシート５２ｂ）よりも左方に配置することができる。
【０１１９】
つまり、最前面に位置するフレームシート６１の山折り部を伸ばすことによって、前側カレンダーシート５２ａは、山折り部を支点として左方に揺動する。そのとき、前側カレンダーシート５２ａを、フレームシート６１の保持シート６２との連結部分において、山折り部を伸ばす方向と逆方向に折り曲げる。すると、フレームシート６１において山折り部を伸ばした部分の前面に前側カレンダーシート５２ａは配置される。言い換えれば、フレームシート６１の山折り部を伸ばす動作によって、前側カレンダーシート５２ａを、背面側カレンダーシート２ｂと略平行な状態のまま左方に移動させることができる。そして、フレームシート６１において山折り部を伸ばした部分は背面側カレンダーシート５２ｂの左方に位置するので、前側カレンダーシート５２ａは、背面側カレンダーシート５２ｂの左方に背面側カレンダーシート５２ｂと左右に並ぶように配置できるのである（図３参照）。
【０１２０】
つまり、本実施形態の卓上カレンダー５０でも、壁掛けカレンダー１と実質的に同じようにすれば（つまり壁掛けカレンダー１における上下方向の動きを横方向の動きに変えれば）、フレーム６０の最前面に位置するフレームシート６１の山折り部を伸ばすだけで、この最前面に位置するフレームシート６１に連結された前側カレンダーシート５２ａと、この最前面に位置するフレームシート６１の背面側に位置するフレームシート６１に連結された背面側カレンダーシート５２ｂを、左右に並べて配置することができる。
【０１２１】
しかも、前側カレンダーシート５２ａには、背面側カレンダーシート５２ｂに表示されている月の前の月のカレンダーが表示されているから、左方に早い月（図１２では１月）が表示され、右方にその次の月（図１２では２月）を表示させることができる。つまり、左から右に月が進行するように表示できるので、２カ月分のカレンダーシート２を左右に並べても、その表示を人の感覚にあった表示とすることができる。
【０１２２】
また、本実施形態の卓上カレンダー５０でも、壁掛けカレンダー１と実質的に同じようにすれば、３ヶ月以上横に並べて表示させたり、所望の月を横に並べて表示させたりすることができる（図１３参照）。つまり、上下端縁を分離して、谷折り部も伸ばすようにすれば、３カ月以上の月を並べて表示させたり、所望の月を横に並べて表示させたりすることができる。
【０１２３】
さらに、本実施形態の卓上カレンダー５０も、上述した壁掛けカレンダー１と同様に、フレーム６０を一枚のシートで形成したり、フレーム６０とカレンダーシート５２の両方を一枚のシートで形成したりすることができる。
【０１２４】
そして、本実施形態の卓上カレンダー５０も、上述した壁掛けカレンダー１におけるカレンダーピース２０と実質的に同様の構造を有するカレンダーピースを使用して形成することができる。
【０１２５】
（スタンドホルダー）
本実施形態の卓上カレンダー５０は、ホルダー７０によって保持されて机などの上に立てておくことができるが、卓上カレンダー５０を保持するホルダー７０の形状はとくに限定されない。上述したように、カレンダーシート５２の下端部を保持して、カレンダーシート５２が見えるように立てておくことができるものであればよく、種々の形状や構造のものを使用できる。
【０１２６】
例えば、以下のような構造を有するホルダー７０を使用することができる。
図１１に示すように、ホルダー７０は、本体部７１と、本体部７１に設けられた挟持部７５と、を備えている。
【０１２７】
図１１（Ｃ）、（Ｄ）に示すように、本体部７１は、側面視で略三角形状に形成されており、一枚のシートを３角形の筒状に形成したものである。この本体部７１の前壁７２の前面に挟持部７５が設けられている。この挟持部７５は、本体部７１の底壁７３の前端から連続する挟持片７６を備えている。この挟持片７６の内面（前壁７２側の面）には、磁石７６ｍが取り付けられている。一方、前壁７２の前面において、挟持片７６と対向する位置には、磁石７５ｍが設けられている。つまり、挟持片７６は、磁石７６ｍと磁石７５ｍが磁力によって連結することによって、前壁７２に連結されるようになっている。
【０１２８】
かかる構成であるので、挟持片７６を前壁７２から引き離しておいて、磁石７６ｍと磁石７５ｍの間にカレンダーシート５２の下端部を配置した後、挟持片７６を前壁７２から引き離す力を無くせば、磁石７６ｍと磁石７５ｍの間にカレンダーシート５２の下端部を挟むことができる。つまり、挟持片７６と前壁７２との間にカレンダーシート５２の下端部を挟んで保持できるので、カレンダーシート５２をしっかりとホルダー７０によって保持することができる。
【０１２９】
なお、挟持片７６は、前壁７２から底壁７３まで連続するシートを折り曲げて形成してもよい。この場合には、底壁７３から伸びたシートを挟持片７６とする場合に比べて、挟持片７６の強度を強くでき、しっかりとカレンダーシート５２を保持することができる。
【０１３０】
また、底壁７３は、前壁７２と後壁７４を繋ぐ一枚のシートで形成してもよいし、後壁７４の下端と連結されたシート７３ａと、前記挟持片７６を介して前壁７２と連続するシート７３ｂと、を重ねて底壁７３を形成してもよい。この場合、シート７３ａとシート７３ｂによって底壁７３を形成した場合、シート７３ａの下面（または上面）と、シート７３ｂの上面（または下面）に磁石を設けておけば、両者の重なり合う長さを変更することも可能となるので、ホルダー７０の前壁７２の角度を調整することができる。
また、シート７３ａおよびシート７３ｂの磁石を互いに重なり合わせずに、いずれも外方に向けた状態にすれば、磁石の磁力によってホルダー７０を机やその他の部材に安定して固定することができる。すると、ホルダー７０に保持された本実施形態の卓上カレンダー５０を、安定して机などの上に配置できる。
【０１３１】
なお、上述した卓上カレンダー５０でも、そのフレーム６０および台紙に吊り下げ用の孔を設けておけば、壁掛けカレンダーとしても使用することが可能である。
【０１３２】
（縦置き卓上カレンダー１０１）
上述した例では、月が横方向に進行する卓上カレンダー５０の場合を説明したが、壁掛けカレンダー１と同様に月が縦方向に進行する卓上カレンダー（以下、縦置き卓上カレンダー１０１という場合がある）としてもよい。
以下では、縦置き卓上カレンダー１０１を説明するが、上述した壁掛けカレンダー１や卓上カレンダー５０と実質的に同様の構成の部分は適宜割愛する。
【０１３３】
図１４に示すように、縦置き卓上カレンダー１０１は、壁掛けカレンダー１や卓上カレンダー５０と同様に、複数枚のカレンダーシート１０２と、複数枚のカレンダーシート１０２が連結されたフレーム１１０と、から構成されている。この縦置き卓上カレンダー１０１は、卓上カレンダー５０と異なり、フレーム１１０の一部の折り曲げ方向を変更して形状を固定することにより、机の上などに安定して設置できる形状（以下、据置形状という場合がある）となっている。なお、縦置き卓上カレンダー１０１は、据置形状を維持し机の上などに安定して設置できるように、フレーム１１０とは別にホルダー１３０も備えている。
【０１３４】
（複数枚のカレンダーシート１０２）
まず、複数枚のカレンダーシート１０２は、上述した壁掛けカレンダー１や卓上カレンダー５０と同様に、前面に各月のカレンダーが表示されたものである。
【０１３５】
（フレーム１１０）
図１４に示すように、フレーム１１０は、壁掛けカレンダー１のフレーム１０と同様に、一枚のシートを山折り谷折りして折り畳んだ構造を有している。つまり、フレーム１１０は、壁掛けカレンダー１のフレーム１０と同様に、山折り部を挟む一対のシート（山折り部よりも前面側に位置するシートを保持シート１１２、山折り部よりも背面側に位置するシートを連結シート１１３）からなる複数のフレームシート１１１を有している。このフレーム１１０は、壁掛けカレンダー１のフレーム１０と異なり、山折り部から谷折り部までの距離および谷折り部から山折り部までの距離が、カレンダーシート１０２の高さ（図１４（Ｂ）では上下間の距離）と同等または長く形成されている。つまり、フレーム１１０は、保持シート１１２および連結シート１１３の高さが、カレンダーシート１０２の高さと同等または長く形成されている。
【０１３６】
また、このフレーム１１０でも、壁掛けカレンダー１のフレーム１０と同様に、各谷折り部を挟むシートの側端縁同士が連結されており、折り畳まれた状態を維持できるようになっている。つまり、隣接するフレームシート１１１において、図１４であれば上方に位置するフレームシート１１１の連結シート１１３の側端縁と、図１４であれば下方に位置するフレームシート１１１の保持シート１１２の側端縁とが連結されており、谷折り部が伸びないように維持されている。
【０１３７】
そして、このフレーム１１０には、壁掛けカレンダー１のフレーム１０と異なり、折り畳んだ際に山折り部を挟んで互いに対向する全ての面に、カレンダーシート１０２が設けられている。つまり、各フレームシート１１１の保持シート１１２および連結シート１１３において、山折りしたときに互いに面接触する面に、カレンダーシート１０２が設けられている。しかも、保持シート１１２に設けられるカレンダーシート１０２は谷折り部側の端縁が保持シート１１２に対して揺動可能に連結されており、連結シート１１３に設けられるカレンダーシート１０２は山折り部側の端縁が連結シート１１３に対して揺動可能に連結されている。
【０１３８】
縦置き卓上カレンダー１０１は上記のごとき構造を有しているので、フレーム１１０における各フレームシート１１１の山折りを開けば、２カ月分のカレンダーシート１０２を上下に並べるように配置することができる。
【０１３９】
そして、谷折り部を挟む保持シート１１２と連結シート１１３の側端縁同士の連結を解除すれば、谷折り部も伸ばすことができる。例えば、保持シート１１２と連結シート１１３の側端縁同士が連結されている部分を切除したりすれば、谷折り部も伸ばすことができる。すると、上方に位置するフレームシート１１１の保持シート１１２および連結シート１１３に連結されているカレンダーシート１０２に加えて、下方に位置するフレームシート１１１の保持シート１１２に連結されているカレンダーシート１０２も上下方向に並べて配置することができる。つまり、３カ月分または４か月分のカレンダーシート１０２を上下に並べるように配置することができる。
【０１４０】
また、谷折り部を挟む保持シート１１２と連結シート１１３の側端縁同士の連結を解除すれば、連結を解除した数をｎとすると、２ｎ＋１の数のカレンダーシート１０２を上下に並べるように配置することができる。
【０１４１】
なお、保持シート１１２および連結シート１１３には、カレンダーシート１０２が連結されている側と逆側の端部近傍に、カレンダーシート１０２を保持しておくカレンダーシート保持部１１０ｚを形成しておくことが好ましい（図１４（Ａ）参照）。かかるカレンダーシート保持部１１０ｚを形成しておけば、カレンダーシート１０２がバタついたりすることを防止できる。
【０１４２】
（本実施形態の縦置き卓上カレンダー１０１の他の使用方法）
本実施形態の縦置き卓上カレンダー１０１では、後述するようにフレーム１１０の一部を折り曲げて立体形状を形成し、その形状を固定することにより机等の上に安定して設置することができる。
【０１４３】
例えば、図１４および図１５に示すように、連続する３枚の保持シート１１２と連結シート１１３を側面視で略三角形状となるように折り曲げる。つまり、保持シート１１２と連結シート１１３との間の山折り部であった部分を逆に折り曲げて谷折りする。すると、図１４および図１５では、２枚の保持シート１１２と１枚の連結シート１１３によって、断面視三角形の筒状構造体を形成することができる。ホルダー１３０によってその状態を維持すれば、底面（つまりフレーム１１０の折り畳まれている部分）を机などにおいて、前面にカレンダーシート１０２が配置された卓上カレンダーとして使用することができる。
【０１４４】
つまり、本実施形態の縦置き卓上カレンダー１０１では、上述したように複数の月を並べて表示させる卓上カレンダーとしても使用できるし、単純な１ヶ月表示の卓上カレンダーとしても使用することができる。
【０１４５】
また、本実施形態の縦置き卓上カレンダー１０１では、前面以外の部分に設けられているカレンダーシート１０２も確認できるので、前面に表示されている月の前月または次月のカレンダーシート１０２を簡単に見ることができる。つまり、前面に表示されている月の前月または次月の予定も容易に確認することができる。
【０１４６】
つまり、本実施形態の縦置き卓上カレンダー１０１は、フレーム１１０の一部を折り曲げて上述したような筒状構造体としているが、筒状構造体において前面に配置されているシート（図１５では連結シート１１３）以外のシート（図１５では２枚の保持シート１１２）も他の部材等に固定されていない。すると、筒状構造体を回転させたり、折り曲げた部分を伸ばしたりすれば、簡単に前面に表示されている月以外の月も確認することができる。
【０１４７】
しかも、筒状構造体の前面に位置するシートまたは背面に位置するシートと連結されたフレームシート１１１は、折り畳まれて筒状構造体の底を形成している。したがって、筒状構造体の底を形成しているフレームシート１１１を、レポート用紙をめくるような要領で上下方向にめくれば、筒状構造体の前面に表示されている月よりも未来の月のカレンダーシート１０２を確認することができる。
【０１４８】
なお、筒状構造体の断面形状は三角形状に限られない。筒状構造体を形成するシートを増やして、断面が四角形や五角形などの多角形になるよう形成してもよい。使用者の好みに合わせて、断面が所望の多角形になるようにしてもよい。
【０１４９】
また、本実施形態の縦置き卓上カレンダー１０１では、既に経過し表示しておくことが必要でなくなったカレンダーシート１０２及びフレームシート１１１について、除去せず本体に連結したまま保管しておくこともできる。すると、過去の情報を見返すことが容易にできるほか、１年分の情報を連続した状態で残しておくことができるので、途中の月が抜け落ちることも無く、不意の紛失を防ぐことができる。例えば、過去のカレンダーシート１０２およびフレームシート１１１を内側に折り込んで筒状構造体を形成すれば、過去のカレンダーシート１０２及びフレームシート１１１も筒状構造体内に保管しておくことができる。
【０１５０】
さらに、本実施形態の縦置き卓上カレンダー１０１においても、前述の壁掛けカレンダー１と同様に、谷折り部を挟むシートの両側端縁よりも内方に、両側端縁に沿ってミシン目等の一対の切断部１１０ｓ，１１０ｓや、山折り部または谷折り部よりも前面側のシートに一対の切断部１１０ｓ，１１０ｓを繋ぐようにミシン目等の分離線１１０ｄを設けておくことが望ましい（図１７参照）。一対の切断部１１０ｓ，１１０ｓや分離線１１０ｄを設けておけば、既に月が経過し不要になったカレンダーシート１０２とこのカレンダーシート１０２が連結されたフレームシート１１１を、カレンダーシート１０２とともに除去できる。
【０１５１】
（本実施形態の縦置き卓上カレンダー１０１の製造方法）
本実施形態の縦置き卓上カレンダー１０１は、上述した壁掛けカレンダー１と同様にフレーム１１０を一枚のシートで形成したり、フレーム１１０とカレンダーシート１０２の両方を一枚のシートで形成したりすることが可能である。
【０１５２】
例えば、本実施形態の縦置き卓上カレンダー１０１は、上述した壁掛けカレンダー１と同様である部分が多い。したがって、図８、図９および図１０に示した壁掛けカレンダー１の構造を若干変更するだけで、本実施形態の縦置き卓上カレンダー１０１を製造することが可能である。
以下に、本実施形態の縦置き卓上カレンダー１０１の製造方法を説明する。
【０１５３】
まず、フレーム１１０とカレンダーシート１０２を別体で製造する場合には、図１６に示すように、図８のシートＳ１における山折り線Ｙに対応する位置には折り目を設けず、図８のシートＳ１における谷折り線Ｔに対応する位置にシートＳ１０の長手方向に沿って交互に谷折り線Ｔ１０と山折り線Ｙ１０を形成する。
【０１５４】
そして、山折り線Ｙ１０においてシートＳ１０を山折りした際に互いに面接触する部分であって、破断線Ｓｃよりも側端縁側の領域（図１６のハッチング部分）に接着剤を塗布し、シートＳ１０を谷折り線Ｔ１０および山折り線Ｙ１０において折りたたむ。
【０１５５】
すると、隣接するフレームシート１１１において、谷折り部を挟む保持シート１１２と連結シート１１３との側端縁が連結されたフレーム１１０を形成することができる。
【０１５６】
そして、形成されたフレーム１１０の保持シート１１２および連結シート１１３にカレンダーシート１０２を連結すれば、本実施形態の縦置き卓上カレンダー１０１を製造することができる（図１７参照）。
【０１５７】
なお、シートＳ１０を形成する際には、カレンダーシート１０２の側端部を保持するためのカレンダーシート保持部１１０ｚとなる切れ込み線Ｓｚを形成しておくことが望ましい。
【０１５８】
また、長尺なシートＳ１１を折り曲げて、フレーム１１０とカレンダーシート１０２の両方を形成すれば、フレーム１１０とカレンダーシート１０２を一体で形成することもできる（図１８参照）。この場合には、図１８に示すように、上述したシートＳ１０における各シート１１２，１１３となる部分の間に、折り畳んでカレンダーシート１０２となる部分を設ければよい。
【０１５９】
さらに、本実施形態の縦置き卓上カレンダー１０１も、上述した壁掛けカレンダー１におけるカレンダーピース２０と同様に、カレンダーピース１２０を使用して形成することができる（図１９参照）。
【０１６０】
この場合は、図１９（Ａ）、（Ｂ）に示すように、カレンダーピース１２０は、図１０の壁掛けカレンダー１を形成できるカレンダーピース２０における保持シート２２とカレンダーシート２５だけ（または保持シート２２および折り曲げ連結部２４とカレンダーシート２５だけ）で形成すればよい。かかるカレンダーピース１２０では、保持シート１２１の一端部（折り曲げ連結部１２４がある場合は折り曲げ連結部１２４との連結部）にカレンダーシート１２２の上端を連結する。また、カレンダーピース１２０でも、カレンダーピース２０の保持シート２２等と同様に、保持シート１２１の側端縁に、一対の破断線Ｓｃ，Ｓｃや切り離し線Ｓｄを設けておく。もちろん切れ込み線Ｓｚを設けてもよい。
【０１６１】
かかるカレンダーピース１２０から本実施形態の縦置き卓上カレンダー１０１を製造する場合には、以下のように製造する。
【０１６２】
まず、連続するカレンダーピース１２０において、一のカレンダーピース１２０においてカレンダーシート１２２が連結された端部と逆側の端部と、他のカレンダーピース１２０においてカレンダーシート１２２が連結された端部とを連結する。折り曲げ連結部１２４が設けられている場合には、一のカレンダーピース１２０において折り曲げ連結部１２４が設けられていない端部と、他のカレンダーピース１２０の折り曲げ連結部１２４とを連結する（図１９（Ｃ））。
【０１６３】
そして、複数のカレンダーピース１２０を連結し、隣接するカレンダーピース１２０の連結部分が交互に山折り谷折りとなるように折り畳めば、本実施形態の縦置き卓上カレンダー１０１が完成する（図１９（Ｃ）、（Ｄ））。
【０１６４】
なお、本実施形態の縦置き卓上カレンダー１０１では、任意の枚数のカレンダーピース１２０をつなげて好みの仕様の縦置き卓上カレンダー１０１を形成することができる。しかし、最下部（最背面）に位置するカレンダーピース１２０に連結しているカレンダーシート１０２の表面が机などの設置面と直に接触するようになれば、そのカレンダーシート１０２の汚損や破損のおそれがある。したがって、本実施形態の縦置き卓上カレンダー１０１では、最下部（最背面）に位置するカレンダーピース１２０とその直前のカレンダーピース１２０との間では谷折りとなるようにする。その後、最上部（最前面）のカレンダーピース１２０に向かって交互に山折り、谷折りを形成することが望ましい。
【０１６５】
（形態安定用ホルダー１３０）
本実施形態の縦置き卓上カレンダー１０１は、ホルダー１３０によって筒状構造体の形状を維持できるが、かかる機能を有するホルダー１３０の構造はとくに限定されない。上述したように、筒状構造体の形状が維持され、カレンダーシート１０２が見えるように本実施形態の縦置き卓上カレンダー１０１を安定して立てておくことができるものであればよく、種々の形状や構造のものを使用できる。
【０１６６】
例えば、以下のような構造を有するホルダー１３０を使用することができる。
図１４（Ｃ）に示すように、ホルダー１３０は、フレーム１１０の幅と同じ長さかそれよりも長い距離に形成された本体部１３１と、この本体部１３１の両端と連続しかつ折り曲げ可能に設けられた一対の結束部材１３２，１３２と、を備えている。しかも、各結束部材１３２，１３２において折り曲げた時に本体部１３１と対向する対向面と、本体部１３１において前記各結束部材１３２，１３２の対向面と対向する面（本体部対向面）には、一対の磁石１３３，１３３が取り付けられている。
【０１６７】
ホルダー１３０がかかる構成となっていれば、以下のようにすれば、ホルダー１３０によって筒状構造体の形状を安定して維持できる。
【０１６８】
まず、筒状構造体の内部にホルダー本体部１３１を挿通させる（図１４（Ａ）参照）。そして、フレーム１１０において筒状構造体の底となっている部分の両側端縁を、ホルダー本体部１３１との間にそれぞれ挟むように各結束部材１３２，１３２を折り曲げる。すると、一対の磁石１３３，１３３によって各結束部材１３２，１３２が折り曲げられた状態に維持されるので、筒状構造体の形状を安定して維持することができる。
【０１６９】
（縦置き卓上カレンダー１０１と壁掛けカレンダー１の変形）
本実施形態の縦置き卓上カレンダー１０１と前述の壁掛けカレンダー１は構造上類似している。このため、使用者の好みに合わせて壁掛けカレンダー１を縦置き卓上カレンダー１０１の仕様に変更して使用したり、逆に縦置き卓上カレンダー１０１を壁掛けカレンダー１の仕様に変更して使用したりすることができる。
【０１７０】
簡易な方法として、壁掛けカレンダー１は、以下のようにすれば縦置き卓上カレンダー１０１に変更できる。
【０１７１】
つまり、壁掛けカレンダー１の側端縁の連結をすべて解除してフレーム１０の山折り部を伸ばす。そして、保持シート１２および連結シート１３が一枚のシート（以下シート材１１ｓという）となるようにする。その後、隣接するシート材１１ｓ，１１ｓ同士が連結されている谷折り部を、交互に山折り谷折りとなるように新たに折り目を形成する。そして、新たに形成された折り目でフレーム１０を折り畳み、その後、シート材１１ｓの側端縁全体をクリップや一対の磁石などで固定する。すると、壁掛けカレンダー１を変更した卓上カレンダー１０１とすることができる。また、複数のシート材１１ｓによって筒状構造体を形成してホルダー１３０などで形状を固定すれば、筒状構造体を有する縦置き卓上カレンダー１０１として使用することもできる。
【０１７２】
一方、縦置き卓上カレンダー１０１は、以下のようにすれば壁掛けカレンダー１に変更できる。
【０１７３】
つまり、縦置き卓上カレンダー１０１の側端縁の連結をすべて解除して、各フレームシート１１１の保持シート１１２および連結シート１１３について、その中間部に山折りの折り目を形成する。そして、隣接するフレームシート１１１間の折り目を全て谷折りとなるようにする。最後に、全ての折り目でフレーム１１０を折り畳んで、側端縁全体をクリップや一対の磁石などで固定すれば、縦置き卓上カレンダー１０１を変更した壁掛けカレンダー１とすることができる。
【０１７４】
（縦置き卓上カレンダー１０１と壁掛けカレンダー１の相互変形可能なフレーム構造）
上記の方法によって、壁掛けカレンダー１と縦置き卓上カレンダー１０１を相互に変更するようにしてもよい。しかし、フレーム１０やフレーム１１０を、あらかじめ仕様変更が可能な構造としておけば、側端縁全体を覆うためのクリップや一対の磁石などを使用しなくても側端縁の連結を保った状態で、縦置き卓上カレンダー１０１と壁掛けカレンダー１を相互変形することができる。
【０１７５】
（縦置き卓上カレンダー１０１のフレーム１１０Ｓについて）
まず、壁掛けカレンダー１に変更できるフレーム１１０Ｓを有する縦置き卓上カレンダー１０１の構造について説明する。なお、フレーム１１０Ｓの構造を理解しやすくするために、フレーム１１０Ｓを伸ばしたシートＳ１０ｓの状態で説明する。
【０１７６】
図２０に示すように、フレーム１１０Ｓを形成するシートＳ１０ｓには、谷折り線Ｔ１０と山折り線Ｙ１０が等間隔で交互に形成されている。この点は、上述したフレーム１１０を形成するシートＳ１０とほぼ同等である。
【０１７７】
一方、シートＳ１０ｓでは、谷折り線Ｔ１０と山折り線Ｙ１０の間、具体的には、谷折り線Ｔ１０と山折り線Ｙ１０の中間に中間山折り線Ｙ１０ｂが形成されている。この理由は後述する。
【０１７８】
また、シートＳ１０ｓには、フレーム１１０に設けられていた一対の切断部Ｓｃ，Ｓｃと側端縁との間に、一対の切断部Ｓｃ，Ｓｃと平行に一対の切断部Ｓｃ２，Ｓｃ２が形成されている。なお、一対の切断部Ｓｃ２，Ｓｃ２が形成されると、一対の切断部Ｓｃ，Ｓｃが特許請求の範囲にいう内方切断部に相当するものとなり、一対の切断部Ｓｃ２，Ｓｃ２が特許請求の範囲にいう切断部に相当するものとなる。
【０１７９】
そして、シートＳ１０ｓからフレーム１１０Ｓを形成する際には、中間山折り線Ｙ１０ｂでは折り畳まず、谷折り線Ｔ１０および山折り線Ｙ１０で折り畳む。すると、フレーム１１０とほぼ同じ状態のフレーム１１０Ｓが形成される。
【０１８０】
この折り畳みに際して、シートＳ１０ｓは、谷折り線Ｔ１０を挟むシートにおいて谷折り線Ｔ１０で谷折りしたときに互いに面接触する面（以下谷折り対向面という場合がある）の側端縁同士が接着などによって連結される。具体的には、側端縁において、一対の切断部Ｓｃ２，Ｓｃ２と側端縁との間の領域ｘの部分が連結される。この点は、シートＳ１０から上述したフレーム１１０を形成する場合とほぼ同等である。
【０１８１】
一方、シートＳ１０ｓでは、谷折り対向面において、一対の切断部Ｓｃ，Ｓｃと一対の切断部Ｓｃ２，Ｓｃ２との間の領域Ｖでは、一部の領域Ｖ１は領域Ｘと同様に接着などによってしっかりと連結する一方、残りの領域Ｖ２には両面テープｉを設けておく。具体的には、谷折り線Ｔ１０から、中間山折り線Ｙ１０ｂまでの領域Ｖ１はしっかりと連結し、中間山折り線Ｙ１０ｂから山折り線Ｙ１０までの間の領域Ｖ２に両面テープｉを設けておく。なお、両面テープｉは、一方の面は谷折り対向面の一方の面に貼り付けておき、他方の面には剥離紙を取り付けておき谷折り対向面の他方の面に張り付いていない状態とする。
【０１８２】
上記のごとく形成されたフレーム１１０Ｓでは、以下のようにすれば、フレーム１１０Ｓを壁掛け用のフレームに変更することができる。
【０１８３】
まず、外側（つまり側端縁側）に位置する一対の切断部Ｓｃ２，Ｓｃ２で、一対の切断部Ｓｃ２，Ｓｃ２より外方の部分を切り離す。このとき、フレーム１１０Ｓは、フレーム１１０と異なり、領域Ｖ１で谷折り部を挟むシート同士の谷折り対向面が連結されているので、谷折り部が完全には開かない状態となる。
【０１８４】
一方、領域Ｖ２は連結されていないので、中間山折り線Ｙ１０ｂよりも山折り部側では谷折り部を挟むシート同士が開いた状態となる。ここで、中間山折り線Ｙ１０ｂで山折りして、これまで山折り部だった折り目（つまり山折り線Ｙ１０の折り目）を谷折りに変更する。すると、この谷折りに変更された山折り部を挟む隣接するシートにおいて、中間山折り線Ｙ１０ｂよりも山折り部側に位置していた部分（上方部という）同士を互いに面接触させることができる。ここで、上方部には、領域Ｖ２に両面テープｉが設けられているので、剥離紙を取り除いて上方部同士を面接触させれば、上方部同士を連結することができる。
【０１８５】
すると、フレーム１１０Ｓでは、クリップなどを使用しなくても、壁掛けカレンダー１のフレーム１０と実質的に同等の構造を有するフレームを形成することができる。
【０１８６】
なお、両面テープｉは、面接触する上方部の領域Ｖ２の両方に設けてもよいし、上方部の領域Ｖ２のいずれか一方にだけ設けてもよい。
【０１８７】
また、シートＳ１０ｓには、所定の位置に吊り下げ用の貫通孔１１１ｇとなる孔ｈを設けておくことが望ましい。すると、壁掛けカレンダー１に変更した際に、貫通孔１１１ｇによって壁掛けカレンダー１を壁に吊り下げることができる。この孔ｈは、谷折り線Ｔ１０および山折り線Ｙ１０の近傍であって、フレーム１１０Ｓを折り畳んだときに前方側（上方側）に位置するシートに形成することが望ましい。
【０１８８】
（壁掛けカレンダー１のフレーム１０ｓについて）
まず、縦置き卓上カレンダー１０１に変更できるフレーム１０Ｓを有する壁掛けカレンダー１の構造について説明する。なお、フレーム１０Ｓの構造を理解しやすくするために、フレーム１０Ｓを伸ばしたシートＳ１ｓの状態で説明する。
【０１８９】
図２１に示すように、フレーム１０Ｓを形成するシートＳ１ｓには、谷折り線Ｔｓと山折り線Ｙｓが等間隔で交互に形成されている。この点は、上述したフレーム１０を形成するシートＳ１とほぼ同等である。
【０１９０】
また、シートＳ１ｓには、フレーム１０に設けられていた一対の切断部Ｓｃ，Ｓｃと側端縁との間に、一対の切断部Ｓｃ，Ｓｃと平行に一対の切断部Ｓｃ２，Ｓｃ２が形成されている。
【０１９１】
このシートＳ１ｓからフレーム１０Ｓを形成する際には、谷折り線Ｔｓと山折り線Ｙｓでそれぞれ山折り谷折りして折り畳む。すると、フレーム１０とほぼ同じ状態のフレーム１０Ｓが形成される。
【０１９２】
この折り畳みに際して、シートＳ１ｓは、谷折り線Ｔｓを挟むシートにおいて谷折り線Ｔｓで谷折りしたときに互いに面接触する面（以下谷折り対向面という場合がある）の側端縁同士が接着などによって連結される。具体的には、側端縁において、一対の切断部Ｓｃ２，Ｓｃ２と側端縁との間の領域Ｘの部分が連結される。この点は、シートＳ１から上述したフレーム１０を形成する場合とほぼ同等である。
【０１９３】
一方、シートＳ１ｓでは、谷折り対向面において、一対の切断部Ｓｃ，Ｓｃと一対の切断部Ｓｃ２，Ｓｃ２との間の領域Ｖでは、谷折り対向面の一方の面に両面テープｉを設けておく。なお、両面テープｉは、一方の面は谷折り対向面の一方の面に貼り付けておき、他方の面には剥離紙を取り付けておき谷折り対向面の他方の面に張り付いていない状態とする。
【０１９４】
上記のごとく形成されたフレーム１０Ｓでは、以下のようにすれば、フレーム１０Ｓを卓上用のフレームに変更することができる。
【０１９５】
まず、外側（つまり側端縁側）に位置する一対の切断部Ｓｃ２，Ｓｃ２で、一対の切断部Ｓｃ２，Ｓｃ２より外方の部分を切り離す。すると、谷折り部を挟む谷折り対向面同士が開いた状態となる。
【０１９６】
その状態で、山折り部を伸ばして、谷折り対向面が平面になるようにする。一方、これまで谷折り部だった折り目（つまり谷折り線Ｔｓの折り目）の一部の折り目を、シートＳ１ｓの長手方向に沿って交互に山折り谷折りが形成されるように、谷折りから山折りに変更する。
【０１９７】
ついで、谷折りを挟む隣接するシート同士を互いに面接触させて、領域Ｖに設けられている両面テープｉの剥離紙を取り除いて、谷折りを挟む隣接するシート同士連結させる。
【０１９８】
すると、フレーム１０Ｓでは、クリップなどを使用しなくても、卓上カレンダー１０１のフレーム１１０と実質的に同等の構造を有するフレームを形成することができる。
【０１９９】
なお、シートＳ１ｓを折り畳んだときに前方側（上方側）に位置するシートにおいて、分離線Ｓｄと谷折り線Ｔｓの間の領域に、連結ポイント１１２ｕと切り込みｊ２を設けておくことが望ましい（図２１参照）。連結ポイント１１２ｕは、シートＳ１ｓにＵ字状の切り込みｊ１を設けて形成されたものである。この、連結ポイント１１２ｕは、その基端（内方）だけがシートＳ１ｓに連結されており、その基端で屈曲可能になっている。一方、切り込みｊ２は、連結ポイント１１２ｕの基端よりも内方に設けられたスリットである。この切り込みｊ２から連結ポイント１１２ｕの基端までの距離は、連結ポイント１１２ｕの基端から先端までの長さよりも短くなっている。したがって、連結ポイント１１２ｕをその基端において切り込みｊ２側に折り曲げれば、連結ポイント１１２ｕの先端を切り込みｊ２に挿入できるようになっている。
【０２００】
このように連結ポイント１１２ｕと切り込みｊ２を設けておけば、フレームシート１１同士を連結して、簡単かつ確実に筒状構造体を形成することができる。つまり、連結すべき２つのフレームシート１１について、互いの連結ポイント１１２ｕ同士が重なるように配置する。すると、２つのフレームシート１１の切り込みｊ２同士も重なりあった状態になる。この状態で、２つフレームシート１１の連結ポイント１１２ｕを重ねたままその基端で折り曲げる。そして、重なっている連結ポイント１１２ｕの先端を、そのまま２つのフレームシート１１の重なり合っている切り込みｊ２に差し込む。さらに、重なっている連結ポイント１１２ｕの先端を、重なり合っている切り込みｊ２、つまり、２つのフレームシート１１に貫通させる。すると、筒状構造体を構成する連結すべき２つのフレームシート１１を安定した状態で連結することができるため、別途ホルダー１３０などを用意しなくても壁掛けカレンダー１を縦置き卓上カレンダー１０１と同様に使用することができる。
【０２０１】
なお、連結ポイント１１２ｕおよび切り込みｊ２を設ける数や向き、形状はとくに限定されない。
【０２０２】
例えば、上述したような連結ポイントとして矢印形状を採用し、フレームシートと連結される基端が外方（フレームシートの側端縁側）に位置するように連結ポイントを形成する。この場合、連結すべき２つのフレームシートについて、互いの連結ポイント同士が重なるように配置する。その状態から、２つのフレームシートの連結ポイントを重ねたままその基端で折り曲げて、フレームシートの側端縁側の外側を回す。そして、連結ポイントが存在していた孔に連結ポイントの先端を通せば、連結ポイントの先端を孔に引っ掛けることができる。つまり、矢印形状の連結ポイントを採用すれば、連結ポイントを挿入する切れ込みを設けなくても、２つのフレームシートを安定した状態で連結することが可能となる。
【産業上の利用可能性】
【０２０３】
本発明のカレンダーは、個人のスケジュールのほか、家族や、会社の社員など複数の人のスケジュールを把握するための予定表として適している。
【符号の説明】
【０２０４】
１      壁掛けカレンダー
２      カレンダーシート
１０    フレーム
１０ｓ  切断部
１０ｄ  分離線
１０ｇ  貫通孔
１１    フレームシート
１２    保持シート
１３    連結シート
２０    カレンダーピース
２１    フレームシート
２２    保持シート
２３    連結シート
２４    折り曲げ連結部
２５    カレンダーシート
４０    結束部
４１    結束部材
４２    磁石
５２    カレンダーシート
６０    フレーム
６１    フレームシート
６２    保持シート
６３    連結シート
７０    ホルダー
１０１      卓上カレンダー
１０２      カレンダーシート
１１０      フレーム
１１０ｓ    切断部
１１０ｄ    分離線
１１０ｚ    カレンダーシート保持部
１１１      フレームシート
１１２      保持シート
１１３      連結シート
１１１ｇ    貫通孔
１１２ｕ    連結ポイント
ｊ１    切り込み
ｊ２    切り込み
１２０      カレンダーピース
１２１      フレームシート
１２２      カレンダーシート
１３０      ホルダー
１３１      ホルダー本体部
１３２      結束部材
１３３      磁石
【図１】
2017213840.tif 000003
【図２】
2017213840.tif 000004
【図３】
2017213840.tif 000005
【図４】
2017213840.tif 000006
【図５】
2017213840.tif 000007
【図６】
2017213840.tif 000008
【図７】
2017213840.tif 000009
【図８】
2017213840.tif 000010
【図９】
2017213840.tif 000011
【図１０】
2017213840.tif 000012
【図１１】
2017213840.tif 000013
【図１２】
2017213840.tif 000014
【図１３】
2017213840.tif 000015
【図１４】
2017213840.tif 000016
【図１５】
2017213840.tif 000017
【図１６】
2017213840.tif 000018
【図１７】
2017213840.tif 000019
【図１８】
2017213840.tif 000020
【図１９】
2017213840.tif 000021
【図２０】
2017213840.tif 000022
【図２１】
2017213840.tif 000023
【図２２】
2017213840.tif 000024
【図２３】
2017213840.tif 000025
【手続補正書】
【提出日】平成29年6月19日(2017.6.19)
【手続補正１】
【補正対象書類名】明細書
【補正対象項目名】００１４
【補正方法】変更
【補正の内容】
【００１４】
第１発明のカレンダーは、複数枚のカレンダーシートと、該カレンダーシートが連結されたフレームと、を備えており、前記フレームは、山折り谷折りされたシートを折り畳んだものであり、該フレームの谷折り部または山折り部に折り曲げ可能に前記カレンダーシートが連結されていることを特徴とする。
第２発明のカレンダーは、第１発明において、前記フレームは、前記谷折り部を挟む部分の側端縁同士が連結されていることを特徴とする。
第３発明のカレンダーは、第２発明において、前記谷折り部を挟む部分の側端縁には、該側端縁同士が連結されている連結部分と、該連結部分以外の部分との間に切断部が設けられている。
第４発明のカレンダーは、第３発明において、前記谷折り部を挟む部分の側端縁には、
前記切断部よりも内方に内方切断部が設けられていることを特徴とする。
第５発明のカレンダーは、第１、第２、第３または第４発明において、前記フレームは、前記山折り部を挟む保持シートと連結シートとを有するフレームシートを複数備えており、隣接するフレームシートにおける保持シートと連結シートが、前記谷折り部で連続しており、該谷折り部を挟む連結シートと保持シートの側端縁同士が連結されていることを特徴とする。
第６発明のカレンダーは、第５発明において、前記カレンダーシートの幅または高さが、前記フレームシートの山折り部を伸ばした状態における、前記山折り部を挟む谷折り部間の距離と同じ長さに形成されていることを特徴とする。
第７発明のカレンダーは、第５または第６発明において、前記カレンダーシートと前記フレームシートとからなるカレンダーピースを連結して形成されたものであることを特徴とする。
（カレンダーピース）
第８発明のカレンダーピースは、連結して第５、第６または第７発明のカレンダーを形成するカレンダーピースであって、折り曲げ可能に連結された保持シートと連結シートを備えており、前記保持シートにおいて、前記連結シートと連結している部分と対向する保持端縁にカレンダーシートが連結されていることを特徴とする。
第９発明のカレンダーピースは、第８発明において、前記保持シートの保持端縁に、他のカレンダーピースにおける前記連結シートにおいて前記保持シートと連結している部分と対向する連結端縁と連結する折り曲げ連結部が設けられていることを特徴とする。
第１０発明のカレンダーピースは、第８または第９発明において、前記保持シートの保持端縁において該保持端縁と交差する両側端縁に、他のカレンダーピースにおける前記連結シートと連結される側方連結部が設けられていることを特徴とする。
第１１発明のカレンダーピースは、第１０発明において、前記保持シートの側方連結部および前記連結シートにおいて前記保持シートの側方連結部と連結される連結側端部と、前記保持シートおよび前記連結シートにおける他の部分との境界に切断部が設けられていることを特徴とする。
第１２発明のカレンダーピースは、第８、第９、第１０または第１１発明において、前記カレンダーシートの幅または高さが、前記保持シートと前記連結シートを伸ばした状態における、前記保持シートにおける保持端縁から前記連結シートにおいて前記保持シートと連結している部分と対向する連結端縁までの距離と同じ長さに形成されていることを特徴とする。
【手続補正２】
【補正対象書類名】特許請求の範囲
【補正対象項目名】全文
【補正方法】変更
【補正の内容】
【特許請求の範囲】
【請求項１】
複数枚のカレンダーシートと、該カレンダーシートが連結されたフレームと、を備えており、
前記フレームは、
山折り谷折りされたシートを折り畳んだものであり、
該フレームの谷折り部または山折り部に折り曲げ可能に前記カレンダーシートが連結されている
ことを特徴とするカレンダー。
【請求項２】
前記フレームは、
前記谷折り部を挟む部分の側端縁同士が連結されている
ことを特徴とする請求項１記載のカレンダー。
【請求項３】
前記谷折り部を挟む部分の側端縁には、
該側端縁同士が連結されている連結部分と、該連結部分以外の部分との間に切断部が設けられている
ことを特徴とする請求項２記載のカレンダー。
【請求項４】
前記谷折り部を挟む部分の側端縁には、
前記切断部よりも内方に内方切断部が設けられている
ことを特徴とする請求項３記載のカレンダー。
【請求項５】
前記フレームは、
前記山折り部を挟む保持シートと連結シートとを有するフレームシートを複数備えており、
隣接するフレームシートにおける保持シートと連結シートが、前記谷折り部で連続しており、
該谷折り部を挟む連結シートと保持シートの側端縁同士が連結されている
ことを特徴とする請求項１、２、３または４記載のカレンダー。
【請求項６】
前記カレンダーシートの幅または高さが
前記フレームシートの山折り部を伸ばした状態における、前記山折り部を挟む谷折り部間の距離と同じ長さに形成されている
ことを特徴とする請求項５記載のカレンダー。
【請求項７】
前記カレンダーシートと前記フレームシートとからなるカレンダーピースを連結して形成されたものである
ことを特徴とする請求項５または６記載のカレンダー。
【請求項８】
連結して請求項５、６または７のカレンダーを形成するカレンダーピースであって、
折り曲げ可能に連結された保持シートと連結シートとを備えており、
前記保持シートにおいて、
前記連結シートと連結している部分と対向する保持端縁にカレンダーシートが連結されている
ことを特徴とするカレンダーピース。
【請求項９】
前記保持シートの保持端縁に、他のカレンダーピースにおける前記連結シートに連結する折り曲げ連結部が設けられている
ことを特徴とする請求項８記載のカレンダーピース。
【請求項１０】
前記保持シートの保持端縁において該保持端縁と交差する両側端縁に、他のカレンダーピースにおける前記連結シートと連結される側方連結部が設けられている
ことを特徴とする請求項８または９記載のカレンダーピース。
【請求項１１】
前記保持シートの側方連結部および前記連結シートにおいて前記保持シートの側方連結部と連結される連結側端部と、前記保持シートおよび前記連結シートにおける他の部分との境界に切断部が設けられている
ことを特徴とする請求項１０記載のカレンダーピース。
【請求項１２】
前記カレンダーシートの幅または高さが、
前記保持シートと前記連結シートを伸ばした状態における、前記保持シートにおける保持端縁から前記連結シートにおいて前記保持シートと連結している部分と対向する連結端縁までの距離と同じ長さに形成されている
ことを特徴とする請求項８、９、１０または１１記載のカレンダーピース。